(57)【要約】【課題】吸着熱交換器を用いずに調湿装置を構成する際に、装置の大型化や構造の複雑化を防止するとともに、吸着剤が剥離するような不具合も生じないようにする。【解決手段】電気熱量効果が生じる材料であるエレクトロカロリック冷却材料（21）と、エレクトロカロリック冷却材料（21）に電源（25）から電界を印加する一対の電極（22）とを備え、空気中の水分の吸着と脱離が可能な吸着層（23）が表面に設けられた調湿モジュール（20）と、エレクトロカロリック冷却材料（21）への電界の印加と解除を切り換える電圧制御器（35）とを調湿装置に設ける。【選択図】図２
2013160459.tif 000002
【特許請求の範囲】
【請求項１】
空気中の水分の吸着と脱離を行う調湿モジュールであって、
エレクトロカロリック冷却材料（21）と、該エレクトロカロリック冷却材料（21）に電源（25）から電界を印加するように該エレクトロカロリック冷却材料（21）に設けられた一対の電極（22）とを備え、
空気中の水分の吸着と脱離が可能な吸着層（23）が表面に設けられていることを特徴とする調湿モジュール。
【請求項２】
エレクトロカロリック冷却材料（21）と、該エレクトロカロリック冷却材料（21）に電源（25）から電界を印加するように該エレクトロカロリック冷却材料（21）に設けられた一対の電極（22）とを備え、空気中の水分の吸着と脱離が可能な吸着層（23）が表面に設けられた調湿モジュール（20）と、
上記エレクトロカロリック冷却材料（21）への電界の印加と解除を設定する電圧制御器（35）と、
を備えていることを特徴とする調湿ユニット。
【請求項３】
請求項２において、
上記電圧制御器（35）は、上記吸着層（23）から水分を脱離する放湿時に、上記電源（25）からエレクトロカロリック冷却材料（21）へ電界を印加するように構成されていることを特徴とする調湿ユニット。
【請求項４】
請求項２において、
上記電圧制御器（35）は、上記吸着層（23）で水分を吸着する吸湿時に、上記電源（25）からエレクトロカロリック冷却材料（21）への電界印加を解除するように構成されていることを特徴とする調湿ユニット。
【請求項５】
請求項２において、
上記電圧制御器（35）は、上記吸着層（23）から水分を脱離する放湿時に上記電源（25）からエレクトロカロリック冷却材料（21）へ電界を印加する放湿動作と、上記吸着層（23）で水分を吸着する吸湿時に上記電源（25）からエレクトロカロリック冷却材料（21）への電界印加を解除する吸湿動作を、交互に行うように構成されていることを特徴とする調湿ユニット。
【請求項６】
請求項５において、
上記電圧制御器（35）は、上記エレクトロカロリック冷却材料（21）に印加する電界の大きさを変化させることにより該エレクトロカロリック冷却材料（21）の発熱量を調整し、吸放湿能力を調整するように構成されていることを特徴とする調湿ユニット。
【請求項７】
請求項５において、
上記電圧制御器（35）は、エレクトロカロリック冷却材料（21）の全体に対して電界を印加する割合を変化させることにより該エレクトロカロリック冷却材料（21）の発熱量を調整し、吸放湿能力を調整するように構成されていることを特徴とする調湿ユニット。
【請求項８】
請求項５において、
上記電圧制御器（35）は、上記放湿動作と吸湿動作を繰り返す時間間隔を変化させることにより上記エレクトロカロリック冷却材料（21）の発熱量を調整し、吸放湿能力を調整するように構成されていることを特徴とする調湿ユニット。
【請求項９】
エレクトロカロリック冷却材料（21）と、該エレクトロカロリック冷却材料（21）に電源（25）から電界を印加するように該エレクトロカロリック冷却材料（21）に設けられた一対の電極（22）とを備え、空気中の水分の吸着と脱離が可能な吸着層（23）が表面に設けられた調湿モジュール（20）と、
上記エレクトロカロリック冷却材料（21）への電界の印加と解除を設定する電圧制御器（35）と、
上記調湿モジュール（20）を通過した空気を室内へ供給する空気通路（P）とを備えていることを特徴とする調湿装置。
【請求項１０】
請求項９において、
上記空気通路（P）は、上記調湿モジュール（20）で吸湿処理した空気を室内に導入するように構成されていることを特徴とする調湿装置。
【請求項１１】
請求項９において、
上記空気通路（P）は、上記調湿モジュール（20）で放湿処理した空気を室内に導入するように構成されていることを特徴とする調湿装置。
【請求項１２】
請求項９において、
上記調湿モジュール（20）で吸湿処理した空気を室内に導入する除湿動作と、上記調湿モジュール（20）で放湿処理した空気を室内に導入する加湿動作とを切り換え可能に構成されていることを特徴とする調湿装置。
【請求項１３】
請求項９において、
上記調湿モジュール（20）に加えて、該調湿モジュール（20）に吸着層（23）を設けずに空気の冷却と加熱を行うように構成した冷却加熱モジュール（24）を備え、
上記空気通路（P）は、上記調湿モジュール（20）で吸湿処理した空気を室内に導入するとともに、上記冷却加熱モジュール（24）で冷却した空気を室内に導入するように構成されていることを特徴とする調湿装置。
【請求項１４】
請求項９において、
上記調湿モジュール（20）に加えて、該調湿モジュール（20）に吸着層（23）を設けずに空気の冷却と加熱を行うように構成した冷却加熱モジュール（24）を備え、
上記空気通路（P）は、上記調湿モジュール（20）で放湿処理した空気を室内に導入するとともに、上記冷却加熱モジュール（24）で加熱した空気を室内に導入するように構成されていることを特徴とする調湿装置。
【請求項１５】
請求項９において、
上記調湿モジュール（20）に加えて、該調湿モジュール（20）に吸着層（23）を設けずに空気の冷却と加熱を行うように構成した冷却加熱モジュール（24）を備え、
上記調湿モジュール（20）で吸着処理した空気と冷却加熱モジュール（24）で冷却した空気を室内に導入する除湿冷房動作と、上記調湿モジュール（20）で放湿処理した空気と冷却加熱モジュール（24）で加熱した空気を室内に導入する加湿暖房動作とを切り換え可能に構成されていることを特徴とする調湿装置。
【請求項１６】
請求項９から１５の何れか１つにおいて、
上記調湿モジュール（20）は、チューブ状またはプレート状に形成された上記エレクトロカロリック冷却材料（21）の表面及び裏面に上記電極（22）が設けられたベースモジュール（47，54，64，74）を備え、該ベースモジュール（47，54，64，74）の周囲に上記吸着剤が設けられていることを特徴とする調湿装置。
【請求項１７】
請求項９から１５の何れか１つにおいて、
上記調湿モジュール（20）は、筒状に形成された上記エレクトロカロリック冷却材料（21）の内周面及び外周面に上記電極（22）が設けられたベースモジュール（85）を備え、上記電極（22）の表面に上記吸着材が設けられていることを特徴とする調湿装置。
【請求項１８】
請求項９から１５の何れか１つにおいて、
上記調湿モジュール（20）は、ブロック状に形成された上記エレクトロカロリック冷却材料（21）を挟んで両側に上記電極（22）が設けられたベースモジュール（95）を備え、上記電極（22）の表面に上記吸着剤が設けられていることを特徴とする調湿装置。
【請求項１９】
請求項９から１５の何れか１つにおいて、
上記調湿モジュール（20）は、エレクトロカロリック冷却材料（21）で形成された複数のフィン（102）を搬送する駆動部材（101）を備え、上記空気通路（P）内で上記エレクトロカロリック冷却材料（21）への電界の印加と解除を切り換えるように構成されていることを特徴とする調湿装置。
【発明の詳細な説明】
【技術分野】
【０００１】
本発明は、水分の吸着と脱離を行う調湿モジュール、該調湿モジュールと電圧制御器とからなる調湿ユニット、及び該調湿モジュールを用いて室内の湿度を調節するための調湿装置に関するものである。
【背景技術】
【０００２】
従来、調湿装置には、表面に吸着剤が塗布された空気熱交換器（吸着熱交換器）を用いたものがある（例えば、特許文献１参照）。特許文献１の調湿装置では、冷媒回路の熱交換器に吸着熱交換器が用いられている。２つの吸着熱交換器を用いた調湿装置では、一方の吸着熱交換器で空気中の水分が吸着され、他方の吸着熱交換器で空気中に水分を放出して該吸着熱交換器が再生される。そして、吸着側の熱交換器と再生側の熱交換器を交互に切り換えながら、吸着側の熱交換器を通過した空気を室内に供給することで除湿運転を行ったり、再生側の熱交換器を通過した空気を室内に供給することで加湿運転を行ったりするようにしている。
【０００３】
一方、特許文献２，３には、ゴムなどの弾性体を断熱伸長させるときに発熱し、断熱収縮させるときに吸熱する性質を利用したヒートポンプ装置が開示されている。そこで、この性質を利用して、調湿装置においてゴムなどの弾性体に吸着剤を塗布したものを上記吸着熱交換器の代わりに用い、水分の吸着と脱離を行うことが考えられる。
【先行技術文献】
【特許文献】
【０００４】
【特許文献１】特開２００５−１１４２９１号公報
【特許文献２】特開平３−２８６９７５号公報
【特許文献３】特開平１０−２５９９６５号公報
【発明の概要】
【発明が解決しようとする課題】
【０００５】
しかしながら、ゴムなどの弾性体に吸着剤を塗布したものを吸着部材にする構成では、弾性体を伸縮させるための機構が必要になり、装置の構造が複雑になるとともに装置が大型化してしまう。また、吸着剤を塗布したゴムのような弾性体を伸縮させると、吸着剤の層が剥離してしまうおそれもある。
【０００６】
本発明は、このような問題点に鑑みてなされたものであり、その目的は、吸着熱交換器を用いずに調湿装置を構成する際に、装置の大型化や構造の複雑化を防止するとともに、吸着剤が剥離するような不具合も生じないようにすることである。
【課題を解決するための手段】
【０００７】
第１の発明は、空気中の水分の吸着と脱離を行う調湿モジュールを前提としている。
【０００８】
この調湿モジュール（20）は、エレクトロカロリック冷却材料（21）と、該エレクトロカロリック冷却材料（21）に電源（25）から電界を印加するように該エレクトロカロリック冷却材料（21）に設けられた一対の電極（22）とを備え、空気中の水分の吸着と脱離が可能な吸着層（23）が表面に設けられていることを特徴としている。
【０００９】
この第１の発明では、エレクトロカロリック冷却材料（21）が有する電気熱量効果により、エレクトロカロリック冷却材料（21）に電圧（電界）を印加すると該エレクトロカロリック冷却材料（21）が発熱する。したがって、吸着層（23）に含まれている水分が脱離する。また、エレクトロカロリック冷却材料（21）への電界の印加を解除（電界印加から一定時間経過して、ある程度冷えてから電界印加を解除）すると、エレクトロカロリック冷却材料（21）が常温より冷却される。したがって、吸着層（23）に水分を効率よく吸着される。
【００１０】
第２の発明は、エレクトロカロリック冷却材料（21）と、該エレクトロカロリック冷却材料（21）に電源（25）から電界を印加するように該エレクトロカロリック冷却材料（21）に設けられた一対の電極（22）とを備え、空気中の水分の吸着と脱離が可能な吸着層（23）が表面に設けられた調湿モジュール（20）と、上記エレクトロカロリック冷却材料（21）への電界の印加と解除を設定する電圧制御器（35）とを備えていることを特徴とする調湿ユニットに関するものである。
【００１１】
この第２の発明では、電圧制御器（35）によりエレクトロカロリック冷却材料（21）への電界の印加と解除を設定することにより、吸着剤で水分を吸着する吸湿動作や、吸着剤から水分を放出する放湿動作を行うことができる。
【００１２】
第３の発明は、第２の発明において、上記電圧制御器（35）が、上記吸着層（23）から水分を脱離する放湿時に、上記電源（25）からエレクトロカロリック冷却材料（21）へ電界を印加するように構成されていることを特徴としている。
【００１３】
この第３の発明では、電圧制御器（35）により、エレクトロカロリック冷却材料（21）に電界が印加され、放湿動作が行われる。
【００１４】
第４の発明は、第２の発明において、上記電圧制御器（35）が、上記吸着層（23）で水分を吸着する吸湿時に、上記電源（25）からエレクトロカロリック冷却材料（21）への電界印加を解除するように構成されていることを特徴としている。
【００１５】
この第４の発明では、電圧制御器（35）により、エレクトロカロリック冷却材料（21）への電界の印加が解除され、吸湿動作が行われる。
【００１６】
第５の発明は、第２の発明において、上記電圧制御器（35）が、上記吸着層（23）から水分を脱離する放湿時に上記電源（25）からエレクトロカロリック冷却材料（21）へ電界を印加する放湿動作と、上記吸着層（23）で水分を吸着する吸湿時に上記電源（25）からエレクトロカロリック冷却材料（21）への電界印加を解除する吸湿動作を、交互に行うように構成されていることを特徴としている。
【００１７】
この第５の発明では、電圧制御器（35）により、エレクトロカロリック冷却材料（21）に電界が印加される放湿動作と、エレクトロカロリック冷却材料（21）への電界の印加が解除される吸湿動作とが交互に行われる。
【００１８】
第６の発明は、第５の発明において、上記電圧制御器（35）が、上記エレクトロカロリック冷却材料（21）に印加する電界の大きさを変化させることにより該エレクトロカロリック冷却材料（21）の発熱量を調整し、吸放湿能力を調整するように構成されていることを特徴としている。
【００１９】
この第６の発明では、エレクトロカロリック冷却材料（21）に印加する電界の大きさを電圧制御器（35）で変化させることによりエレクトロカロリック冷却材料（21）の発熱量が変化し、吸放湿能力が調整される。
【００２０】
第７の発明は、第５の発明において、上記電圧制御器（35）が、エレクトロカロリック冷却材料（21）の全体に対して電界を印加する割合を変化させることによりエレクトロカロリック冷却材料（21）の発熱量を調整し、吸放湿能力を調整するように構成されていることを特徴としている。
【００２１】
この第７の発明では、エレクトロカロリック冷却材料（21）の全体に対して電界を印加する割合を変化させることによりエレクトロカロリック冷却材料（21）の発熱量を調整し、吸放湿能力が調整される。
【００２２】
第８の発明は、第５の発明において、上記電圧制御器（35）が、上記放湿動作と吸湿動作を繰り返す時間間隔を変化させることにより上記エレクトロカロリック冷却材料（21）の発熱量を調整し、吸放湿能力を調整するように構成されていることを特徴としている。
【００２３】
この第８の発明では、放湿動作と吸湿動作を繰り返す時間間隔を変化させることによりエレクトロカロリック冷却材料（21）の発熱量を調整し、吸放湿能力が調整される。
【００２４】
第９の発明は、エレクトロカロリック冷却材料（21）と、該エレクトロカロリック冷却材料（21）に電源（25）から電界を印加するように該エレクトロカロリック冷却材料（21）に設けられた一対の電極（22）とを備え、空気中の水分の吸着と脱離が可能な吸着層（23）が表面に設けられた調湿モジュール（20）と、上記エレクトロカロリック冷却材料（21）への電界の印加と解除を設定する電圧制御器（35）と、上記調湿モジュール（20）を通過した空気を室内へ供給する空気通路（P）とを備えていることを特徴とする調湿装置に関するものである。
【００２５】
この第９の発明では、電圧制御器（35）によりエレクトロカロリック冷却材料（21）への電界の印加と解除を設定することにより、吸着剤で水分を吸着する吸湿動作や、吸着剤から水分を放出する放湿動作を行うことができ、処理した空気を空気通路（P）から室内へ供給することができる。
【００２６】
第１０の発明は、第９の発明において、上記空気通路（P）が、上記調湿モジュール（20）で吸湿処理した空気を室内に導入するように構成されていることを特徴としている。
【００２７】
この第１０の発明では、電圧制御器（35）によりエレクトロカロリック冷却材料（21）への電界印加が解除され、吸湿動作が行われて減湿された空気が室内へ供給される。
【００２８】
第１１の発明は、第９の発明において、上記空気通路（P）が、上記調湿モジュール（20）で放湿処理した空気を室内に導入するように構成されていることを特徴としている。
【００２９】
この第１１の発明では、電圧制御器（35）によりエレクトロカロリック冷却材料（21）に電界が印加され、放湿動作が行われて加湿された空気が室内へ供給される。
【００３０】
第１２の発明は、第９の発明において、上記調湿モジュール（20）で吸湿処理した空気を室内に導入する除湿動作と、上記調湿モジュール（20）で放湿処理した空気を室内に導入する加湿動作とを切り換え可能に構成されていることを特徴としている。
【００３１】
この第１２の発明では、電圧制御器（35）によりエレクトロカロリック冷却材料（21）への電界印加が解除され、吸湿動作が行われて減湿された空気が室内へ供給される除湿動作と、エレクトロカロリック冷却材料（21）に電界が印加され、放湿動作が行われて加湿された空気が室内へ供給される加湿動作を切り換えて運転することができる。
【００３２】
第１３の発明は、第９の発明において、上記調湿モジュール（20）に加えて、該調湿モジュール（20）に吸着層（23）を設けずに空気の冷却と加熱を行うように構成した冷却加熱モジュール（24）を備え、上記空気通路（P）は、上記調湿モジュール（20）で吸湿処理した空気を室内に導入するとともに、上記冷却加熱モジュール（24）で冷却した空気を室内に導入するように構成されていることを特徴としている。なお、この構成において、調湿モジュール（20）と冷却加熱モジュール（24）を空気流れに対して直列に配置して空気を各モジュール（20，24）で連続して処理してもよいし、調湿モジュール（20）と冷却加熱モジュール（24）を並列に配置して各モジュール（20，24）を通過した空気を合流させて室内に供給してもよい。
【００３３】
この第１３の発明では、吸湿処理した空気と冷却処理した空気を室内に導入することにより、除湿冷房運転が行われる。
【００３４】
第１４の発明は、第９の発明において、上記調湿モジュール（20）に加えて、該調湿モジュール（20）に吸着層（23）を設けずに空気の冷却と加熱を行うように構成した冷却加熱モジュール（24）を備え、上記空気通路（P）は、上記調湿モジュール（20）で放湿処理した空気を室内に導入するとともに、上記冷却加熱モジュール（24）で加熱した空気を室内に導入するように構成されていることを特徴としている。なお、調湿モジュール（20）と冷却加熱モジュール（24）を空気の流れ方向に対して直列に配置しても並列に配置してもよいことは第１３の発明と同様である。
【００３５】
この第１４の発明では、放湿処理した空気と加熱処理した空気を室内に導入することにより、加湿暖房運転が行われる。
【００３６】
第１５の発明は、第９の発明において、上記調湿モジュール（20）に加えて、該調湿モジュール（20）に吸着層（23）を設けずに空気の冷却と加熱を行うように構成した冷却加熱モジュール（24）を備え、上記調湿モジュール（20）で吸着処理した空気と冷却加熱モジュール（24）で冷却した空気を室内に導入する除湿冷房動作と、上記調湿モジュール（20）で放湿処理した空気と冷却加熱モジュール（24）で加熱した空気を室内に導入する加湿暖房動作とを切り換え可能に構成されていることを特徴としている。なお、調湿モジュール（20）と冷却加熱モジュール（24）を空気の流れ方向に対して直列に配置しても並列に配置してもよいことは第１３，第１４の発明と同様である。
【００３７】
この第１５の発明では、吸湿処理した空気と冷却処理した空気を室内に導入する除湿冷房動作と、放湿処理した空気と加熱処理した空気を室内に導入する加湿暖房動作を切り換えて行うことができる。
【００３８】
第１６の発明は、第９から第１５の発明の何れか１つにおいて、上記調湿モジュール（20）が、チューブ状またはプレート状に形成された上記エレクトロカロリック冷却材料（21）の表面及び裏面に上記電極（22）が設けられたベースモジュール（47，54，64，74）を備え、該ベースモジュール（47，54，64，74）の周囲に上記吸着剤が設けられていることを特徴としている。
【００３９】
この第１６の発明では、チューブ状またはプレート状のエレクトロカロリック冷却材料（21）を用いることにより、簡単な構成で吸着剤の加熱や冷却を行うことができる。
【００４０】
第１７の発明は、第９から第１５の発明の何れか１つにおいて、上記調湿モジュール（20）が、筒状に形成された上記エレクトロカロリック冷却材料（21）の内周面及び外周面に上記電極（22）が設けられたベースモジュール（85）を備え、上記電極（22）の表面に上記吸着材が設けられていることを特徴としている。
【００４１】
この第１７の発明では、筒状のエレクトロカロリック冷却材料（21）を用いることにより、簡単な構成で吸着剤の加熱や冷却を行うことができる。
【００４２】
第１８の発明は、第９から第１５の発明の何れか１つにおいて、上記調湿モジュール（20）が、ブロック状に形成された上記エレクトロカロリック冷却材料（21）を挟んで両側に上記電極（22）が設けられたベースモジュール（95）を備え、上記電極（22）の表面に上記吸着剤が設けられていることを特徴としている。
【００４３】
この第１８の発明では、エレクトロカロリック冷却材料（21）を挟んで両側に電極（22）を設けることにより、吸着剤の加熱や冷却を行うことができる。
【００４４】
第１９の発明は、第９から第１５の発明の何れか１つにおいて、上記調湿モジュール（20）は、エレクトロカロリック冷却材料（21）で形成された複数のフィン（102）を搬送する駆動部材（101）を備え、上記空気通路（P）内で上記エレクトロカロリック冷却材料（21）への電界の印加と解除を切り換えるように構成されていることを特徴としている。
【００４５】
この第１９の発明では、エレクトロカロリック冷却材料（21）で形成した複数のフィン（102）を用い、このフィン（102）を駆動部材（101）で搬送することにより、吸着剤の加熱や冷却を行うことができる。
【発明の効果】
【００４６】
上記第１の発明によれば、エレクトロカロリック冷却材料（21）が有する電気熱量効果により、エレクトロカロリック冷却材料（21）に電圧（電界）を印加すると該エレクトロカロリック冷却材料（21）が発熱して、吸着層（23）に含まれている水分が脱離するので、脱離した水分を空気に与えて室内に供給することにより加湿運転を行うことができる。また、エレクトロカロリック冷却材料（21）への電界の印加を解除するとエレクトロカロリック冷却材料（21）が冷却されて、吸着層（23）に水分が効率よく吸着されるので、空気を減湿して室内に供給することにより除湿運転を行うことができる。
【００４７】
そして、本発明によれば、ゴムなどの弾性体に吸着剤を塗布する構成を採用していないので、弾性体を伸縮させるための機構は不要である。したがって、装置の構造が複雑になったり装置が大型化したりするのを防止できる。さらに、弾性体に吸着剤を塗布する構成を採用していないため、特に対策を施さなくても吸着剤の層が剥離することもない。
【００４８】
上記第２の発明によれば、電圧制御器（35）によりエレクトロカロリック冷却材料（21）への電界の印加と解除を設定することにより、吸着剤で水分を吸着する吸湿動作と、吸着剤から水分を放出する放湿動作を行うことができる。調湿ユニットをコンパクトに構成できるから、この調湿ユニットを調湿装置に用いることにより、構造の複雑化や大型化を抑えた調湿装置を容易に実現できるし、除湿運転や加湿運転の設定も容易に行える。
【００４９】
上記第３から第５の発明によれば、除湿運転のみを行う構成（第３の発明）や、加湿運転のみを行う構成（第４の発明）、さらには除湿運転と加湿運転とを切り換えて行う構成（第５の発明）を容易に実現することができる。
【００５０】
上記第６の発明によれば、電界印加の大きさに基づいてエレクトロカロリック冷却材料（21）の発熱量を調整し、吸放湿能力を容易に調整することができるので、調湿負荷に応じた運転をすることが可能となる。
【００５１】
上記第７の発明によれば、電界印加の割合に基づいてエレクトロカロリック冷却材料（21）の発熱量を調整し、吸放湿能力を容易に調整することができるので、調湿負荷に応じた運転をすることが可能となる。
【００５２】
上記第８の発明によれば、電界印加の時間間隔に基づいてエレクトロカロリック冷却材料（21）の発熱量を調整し、吸放湿能力を容易に調整することができるので、調湿負荷に応じた運転をすることが可能となる。
【００５３】
上記第９の発明によれば、電圧制御器（35）によりエレクトロカロリック冷却材料（21）への電界の印加と解除を設定することにより、吸着剤で水分を吸着する吸湿動作や、吸着剤から水分を放出する放湿動作を行うことができ、処理した空気を空気通路（P）から室内へ供給することができる。
【００５４】
上記第１０から第１２の発明によれば、調湿装置において、除湿運転のみを行う構成（第１０の発明）や、加湿運転のみを行う構成（第１１の発明）、さらには除湿運転と加湿運転とを切り換えて行う構成（第１２の発明）を容易に実現することができる。
【００５５】
上記第１３の発明によれば、調湿モジュール（20）と冷却加熱モジュール（24）を用いることにより、除湿冷房運転を行う構成を容易に実現できる。
【００５６】
上記第１４の発明によれば、調湿モジュール（20）と冷却加熱モジュール（24）を用いることにより、加湿暖房運転を行う構成を容易に実現できる。
【００５７】
上記第１５の発明によれば、吸湿処理した空気と冷却処理した空気を室内に導入する除湿冷房動作と、放湿処理した空気と加熱処理した空気を室内に導入する加湿暖房動作を切り換えて行う構成を容易に実現できる。
【００５８】
上記第１６から第１９の発明によれば、調湿モジュール（20）の構成を特定したことにより、第９から第１５の発明の調湿装置を容易に実現することが可能になる。
【図面の簡単な説明】
【００５９】
【図１】図１は、本発明の実施形態１及び実施形態４に係る調湿装置を室内に設置した状態を示す概略図であり、図１（Ａ）が吸湿動作の運転状態を示し、図１（Ｂ）が放湿動作の運転状態を示している。
【図２】図２は、図１の調湿装置に用いられる調湿モジュールの概略構成図である。
【図３】図３（Ａ）は調湿モジュールの概略構成図において放湿運転の状態を示す図であり、図３（Ｂ）は調湿モジュールの概略構成図において吸湿運転の状態を示す図である。
【図４】図４は、実施形態１の変形例１及び実施形態４の変形例１に係る調湿装置を室内に設置した状態を示す概略図であり、図４（Ａ）は第１の運転状態、図４（Ｂ）は第２の運転状態を示している。
【図５】図５は、実施形態１の変形例２及び実施形態４の変形例２に係る調湿装置を室内に設置した状態を示す概略図であり、図５（Ａ）は第１の運転状態、図５（Ｂ）は第２の運転状態を示している。
【図６】図６は、実施形態１の変形例３及び実施形態４の変形例３に係る調湿装置を設置した状態を示す概略図である。
【図７】図７は、図６の調湿装置の第１の運転動作を示す図であり、図７（Ａ）は平面構造図、図７（Ｂ）は左側面構造図、図７（Ｃ）は右側面構造図である。
【図８】図８は、図６の調湿装置の第２の運転動作を示す図であり、図８（Ａ）は平面構造図、図８（Ｂ）は左側面構造図、図８（Ｃ）は右側面構造図である。
【図９】図９は、実施形態１の変形例４及び実施形態４の変形例４に係る調湿装置を室内に設置した状態を示す概略図である。
【図１０】図１０は、実施形態２及び実施形態４に係る調湿装置を室内に設置した状態を示す概略図であり、図１０（Ａ）が放湿動作の運転状態を示し、図１０（Ｂ）が吸湿動作の運転状態を示している。
【図１１】図１１は、実施形態２の変形例１及び実施形態４の変形例１に係る調湿装置を室内に設置した状態を示す概略図であり、図１１（Ａ）は第１の運転状態、図１１（Ｂ）は第２の運転状態を示している。
【図１２】図１２は、実施形態２の変形例２及び実施形態４の変形例２に係る調湿装置を室内に設置した状態を示す概略図であり、図１２（Ａ）は第１の運転状態、図１２（Ｂ）は第２の運転状態を示している。
【図１３】図１３は、実施形態２の変形例３及び実施形態４の変形例３に係る調湿装置を設置した状態を示す概略図である。
【図１４】図１４は、図１３の調湿装置の第１の運転動作を示す図であり、図１４（Ａ）は平面構造図、図１４（Ｂ）は左側面構造図、図１４（Ｃ）は右側面構造図である。
【図１５】図１５は、図１３の調湿装置の第２の運転動作を示す図であり、図１５（Ａ）は平面構造図、図１５（Ｂ）は左側面構造図、図１５（Ｃ）は右側面構造図である。
【図１６】図１６は、実施形態２の変形例４及び実施形態４の変形例４に係る調湿装置を室内に設置した状態を示す概略図である。
【図１７】図１７は、実施形態３及び実施形態４の変形例５に係る調湿装置を室内に設置した状態を示す概略図であり、図１７（Ａ）は第１の運転状態、図１７（Ｂ）は第２の運転状態を示している。
【図１８】図１８は、実施形態３の変形例１及び実施形態４の変形例６に係る調湿装置を室内に設置した状態を示す概略図である。
【図１９】図１９は、実施形態３の変形例２及び実施形態４の変形例５に係る調湿装置を室内に設置した状態を示す概略図であり、図１９（Ａ）は第１の運転状態、図１７（Ｂ）は第２の運転状態を示している。
【図２０】図２０は、実施形態３の変形例３及び実施形態４の変形例６に係る調湿装置を室内に設置した状態を示す概略図である。
【図２１】図２１は、実施形態５に係る調湿モジュールの構造を示す斜視図である。
【図２２】図２２（Ａ）は、図２１の調湿モジュールの部分拡大断面図であり、図２２（Ｂ）は図２２（Ａ）の変形例を示す図である。
【図２３】図２３は、実施形態５の変形例１に係る調湿モジュールの構造を示す斜視図である。
【図２４】図２４は、実施形態５の変形例２に係る調湿モジュールの構造を示す斜視図である。
【図２５】図２５は、実施形態５の変形例３に係る調湿モジュールの構造を示す斜視図である。
【図２６】図２６は、実施形態６に係る冷却加熱モジュールの構造を示す断面図である。
【図２７】図２７は、実施形態７に係る冷却加熱モジュールの構造を示す断面図である。
【図２８】図２８は、実施形態８に係る調湿モジュールの横断面構造図である。
【図２９】図２９は、実施形態８に係る調湿モジュールの縦断面構造図である。
【図３０】図３０は、実施形態８に係る調湿モジュールの平面構造図である。
【図３１】図３１は、実施形態の調湿モジュールに用いられているフィンの構造図であり、図３１（Ａ）は正面図、図３１（Ｂ）は側面図である。
【発明を実施するための形態】
【００６０】
以下、本発明の実施形態を図面に基づいて詳細に説明する。
【００６１】
《発明の実施形態１》
本発明の実施形態１について説明する。
【００６２】
−装置の全体構成−
図１は、実施形態１に係る調湿装置（1）を建物（2）の室内（空調対象空間）（3）に設置した状態を示す概略図であり、図１（Ａ）が吸湿動作の運転状態を示し、図１（Ｂ）が放湿動作の運転状態を示している。実施形態１の調湿装置（1）は、除湿装置として構成されている。
【００６３】
この調湿装置（1）は、ケーシング（10）と、ケーシング（10）内に収納された調湿モジュール（20）と、調湿モジュール（20）に空気を流すファン（30）と、調湿モジュール（20）に電源から電界を印加する電圧制御器（35）とを備えている。調湿モジュール（20）と電圧制御器（35）とにより調湿ユニット（5）が構成されている。また、ケーシング（10）とその内部に設けられた機能部品により室内ユニット（U）が構成されている。
【００６４】
ケーシング（10）内には、該ケーシング（10）内に導入された空気を調湿モジュール（20）に通して室内（3）へ供給するための空気通路（P）が形成されている。この実施形態では、上記調湿モジュール（20）で吸湿処理した空気をこの空気通路（P）により室内（3）に導入することにより、吸湿運転を行うことができるようになっている。
【００６５】
−調湿モジュール−
調湿モジュール（20）は、概略の構成を図２に示すように、エレクトロカロリック冷却材料（21）と、該エレクトロカロリック冷却材料（21）に電源（25）から電界を印加するように該エレクトロカロリック冷却材料（21）の表面に設けられた一対の電極（22）とを備えている。調湿モジュール（20）の表面には、空気中の水分の吸着と脱離が可能な吸着層（23）が設けられている。
【００６６】
上記エレクトロカロリック冷却材料（21）は、電気熱量効果（ElectroCaloric Effect)が生じる材料であり、電界を印加すると外部へ放熱し、電界の印加を解除すると外部から吸熱する。言い換えると、外部から電界がかけられたエントロピーの小さい状態で電界を除去すると吸熱してエントロピーが大きくなり、エントロピーが大きな状態で電界を印加すると放熱してエントロピーが小さくなる。例えばエントロピーが小さな状態で断熱して電界を除去すると、分子運動からエネルギを奪って材料が冷える。
【００６７】
したがって、図３（Ａ）に示すようにエレクトロカロリック冷却材料（21）に電圧（電界）を印加すると、エレクトロカロリック冷却材料（21）が発熱し、電極（22）と吸着層（23）が加熱される。吸着層（23）が加熱されると、吸着層（23）に吸着されていた水分が空気中に放出される（放湿動作）。したがって、調湿モジュール（20）を通過した後の空気中の水分は通過前より多くなる。逆に図３（Ｂ）に示すようにエレクトロカロリック冷却材料（21）への電界の印加を解除（電界印加から一定時間経過して、ある程度冷えてから電界印加を解除）すると、エレクトロカロリック冷却材料（21）が吸熱し、電極（22）と吸着層（23）が冷却される。吸着層（23）が冷却されると、空気中の水分が吸着層（23）に吸着される（吸湿動作）。したがって、調湿モジュール（20）を通過した後の空気中の水分は通過前より少なくなる。この調湿装置（1）では、放湿動作と吸湿動作が交互に行われる。
【００６８】
なお、エレクトロカロリック冷却材料（21）は、吸湿や放湿中には動作開始から能力のピークを越えると能力が低下する。そのため、吸湿動作と放湿動作が交互に切り換えられる。
【００６９】
エレクトロカロリック冷却材料（21）の具体例として、poly(vinylidene fluoride-trifluoroethylene)を挙げることができる。特に、上記材料をP(VDF-TrFE)と表すと、VDFが90〜10モル％、TrFEが10〜90モル％で、合計が100モル％になる組成のものを用いることができる。また、好ましくは、VDFが80〜20モル％のものを用いるとよい。
【００７０】
−電界印加動作−
上記電圧制御器（35）は、図３において、上記エレクトロカロリック冷却材料（21）に印加する電界の大きさを変化させることにより該エレクトロカロリック冷却材料（21）の発熱量を調整し、吸放湿能力を調整するように構成されている。
【００７１】
また、上記電圧制御器（35）は、図３において、エレクトロカロリック冷却材料（21）の全体のうち、電界を印加する部分の割合を変化させることにより該エレクトロカロリック冷却材料（21）の発熱量を調整し、吸放湿能力を調整するように構成してもよい。
【００７２】
さらに、上記電圧制御器（35）は、上記吸湿動作と放湿動作を繰り返す時間間隔を変化させることにより上記エレクトロカロリック冷却材料（21）の発熱量を調整し、吸放湿能力を調整するように構成してもよい。
【００７３】
−運転動作−
この調湿装置（1）は除湿運転のみが行われる。
【００７４】
具体的には、図１（Ａ）においては、それまで加熱されていた調湿モジュール（20）への電界の印加が解除される。そうすると、調湿モジュール（20）が空気（室外空気（OA））から吸熱し、図２，図３の電極（22）及び吸着層（23）が冷却される。吸着層（23）は、それまで加熱されていたことにより既に水分を放出している。したがって、図１（Ａ）に示すように室外から室内（3）へ向かって空気が流れると、その空気から水分が吸着される。そして、水分が吸着されて減湿された空気（供給空気（SA））が室内（3）へ供給される。また、このとき、調湿モジュール（20）が冷却されるため、吸着熱による吸着層（23）の発熱が抑えられる。したがって、吸着性能が低下せずに吸湿動作が行われる。
【００７５】
図１（Ｂ）の放湿動作時は、ファン（30）の回転方向が切り換えられ、室内空気（RA）が室外へ排出される。このとき、調湿モジュール（20）のエレクトロカロリック冷却材料（21）に電界が印加される。そうすると、調湿モジュール（20）が放熱し、電極（22）及び吸着層（23）が加熱される。吸着層（23）が加熱されると、吸着層（23）に含まれていた水分が室内（3）から室外へ流れる空気に放出される。したがって、この放湿動作のときには、調湿モジュール（20）の吸着層（23）が再生され、水分は空気（排出空気（EA））とともに室外に排出される。
【００７６】
本実施形態では、図１（Ａ）の吸湿動作と図１（Ｂ）の放湿動作を繰り返し行うことにより、除湿運転が間欠的に行われる。
【００７７】
−実施形態１の効果−
本実施形態によれば、調湿モジュール（20）には、ゴムなどの弾性体に吸着剤を塗布したものは採用していない。ここで、ゴムのような弾性体に吸着剤を塗布したものを調湿モジュールに用いると、上記弾性体を伸縮させるための機構が必要になり、調湿装置（1）の構造が複雑になるとともに装置（1）が大型化してしまうのに対して、本実施形態によれば、上記調湿モジュール（20）に上記弾性体を用いていないので、調湿装置（20）の大型化や構造の複雑化を防止することができる。また、調湿モジュール（20）を構成するエレクトロカロリック冷却材料が大きく伸縮するような弾性体ではないため、調湿モジュール（20）から吸着剤が剥離するような不具合も生じないようにすることができる。
【００７８】
また、本実施形態では、エレクトロカロリック冷却材料（21）の発熱量を調整し、吸放湿能力を調整することができるので、調湿負荷に応じた運転をすることが可能である。
【００７９】
−実施形態１の変形例−
（変形例１）
図４に示す変形例１は、２つの室内ユニット（U1，U2）を空調対象の室内（3）に設置するように構成したものである。図では、部屋の対向する壁面の一方（図の右側の壁面）に第１室内ユニット（U1）が設置され、壁面の他方（図の左側の壁面）に第２室内ユニット（U2）が設置されている。各室内ユニット（U1，U2）の構成は図１の調湿装置（1）の室内ユニット（U）と同じであるため、各室内ユニット（U1，U2）の構成については説明を省略する。なお、室内ユニット（U1，U2）には、それぞれ空気通路（P1，P2）が形成されている。
【００８０】
図４（Ａ）は、第１室内ユニット（U1）で吸湿動作を行い、第２室内ユニット（U2）で放湿動作を行う状態を示している。第１室内ユニット（U1）では、調湿モジュール（20）のエレクトロカロリック冷却材料（21）への電界の印加が解除される。したがって、第１室内ユニット（U1）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００８１】
一方、第２室内ユニット（U2）では、室内空気（RA）が室外へ排出される方向へファン（30）が回転し、同時に調湿モジュール（20）のエレクトロカロリック冷却材料（21）に電界が印加される。したがって、吸着層（23）に含まれている水分が空気に与えられて、排出空気（EA）として室外へ放出され、調湿モジュール（20）の吸着層（23）が再生される。
【００８２】
図４（Ｂ）は、第２室内ユニット（U2）で吸湿動作を行い、第１室内ユニット（U1）で放湿動作を行う状態を示している。第２室内ユニット（U2）では、調湿モジュール（20）のエレクトロカロリック冷却材料（21）への電界の印加が解除される。したがって、第２室内ユニット（U2）の調湿モジュール（20）が吸熱し、室外空気（OA）が室外から室内（3）へ流れる際に空気の水分が吸着される。そして、水分が吸着されて減湿された空気が供給空気（SA）として室内（3）へ供給される。
【００８３】
一方、第１室内ユニット（U1）では、室内空気（RA）が室外へ排出される方向へファン（30）が回転し、同時に調湿モジュール（20）のエレクトロカロリック冷却材料（21）に電界が印加される。したがって、吸着層（23）に含まれている水分が空気に与えられて、排出空気（EA）として室外へ放出され、調湿モジュール（20）の吸着層（23）が再生される。
【００８４】
このように、実施形態１の変形例１によれば、いずれか一方の室内ユニット（U1，U2）で空気を減湿して、その空気を室内（3）へ供給するときに、他方の室内ユニット（U2，U1）では吸着層（23）を再生する図４（Ａ）の運転と図４（Ｂ）の運転を交互に切り換えることにより、除湿運転を連続して行うことができる。
【００８５】
（変形例２）
図５に示す変形例２は、２つの室内ユニット（U1，U2）を空調対象の室内（3）に設置するように構成している点は図４の装置（1）と共通している。図４の変形例１と異なる点は、第１室内ユニット（U1）と第２室内ユニット（U2）の両方を、図の右側の壁面に設置した点である。各室内ユニット（U1，U2）の構成は、図１及び図４の調湿装置（1）と同じである。
【００８６】
図５（Ａ）は、第１室内ユニット（U1）で吸湿動作を行い、第２室内ユニット（U2）で放湿動作を行う状態を示している。第１室内ユニット（U1）では、調湿モジュール（20）のエレクトロカロリック冷却材料（21）への電界の印加が解除される。したがって、第１室内ユニット（U1）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００８７】
一方、第２室内ユニット（U2）では、室内空気（RA）が室外へ排出される方向へファン（30）が回転し、同時に調湿モジュール（20）のエレクトロカロリック冷却材料（21）に電界が印加される。したがって、吸着層（23）に含まれている水分が空気に与えられて、排出空気（EA）として室外へ放出され、調湿モジュール（20）の吸着層（23）が再生される。
【００８８】
図５（Ｂ）は、第２室内ユニット（U2）で吸湿動作を行い、第１室内ユニット（U1）で放湿動作を行う状態を示している。第２室内ユニット（U2）では、調湿モジュール（20）のエレクトロカロリック冷却材料（21）への電界の印加が解除される。したがって、第２室内ユニット（U2）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００８９】
一方、第１室内ユニット（U1）では、室内空気（RA）が室外へ排出される方向へファン（30）が回転し、同時に調湿モジュール（20）のエレクトロカロリック冷却材料（21）に電界が印加される。したがって、吸着層（23）に含まれている水分が空気に与えられて、排出空気（EA）として室外へ放出され、調湿モジュール（20）の吸着層（23）が再生される。
【００９０】
このように、実施形態１の変形例２によれば、いずれか一方の室内ユニット（U1，U2）で空気を減湿して、その空気を室内（3）へ供給するときに、他方の室内ユニット（U2，U1）では吸着層（23）を再生する図５（Ａ）の運転と図５（Ｂ）の運転を交互に切り換えることにより、除湿運転を連続して行うことができる。
【００９１】
（変形例３）
図６に示す変形例３は、調湿装置（1）のケーシング（10）内に２つの調湿モジュール（20）を設け、一方の調湿モジュール（20）（第１調湿モジュール（20a））を通過した空気を室内（3）に供給して他方の調湿モジュール（20）（第２調湿モジュール（20b））を通過した空気を室外へ放出する第１の運転動作と、第２調湿モジュール（20b）を通過した空気を室内（3）に供給して第１調湿モジュール（20a）を通過した空気を室外へ放出する第２の運転動作とを切り換えるように構成したものである。
【００９２】
調湿装置（1）は、具体的には図７，８に示すように構成されている。この調湿装置（1）は、２つの調湿モジュール（20a，20b）と２つのファン（30a，30b）を１つのケーシング（10）内に収納した一体型の構成で、天井裏に設置されている。図７は、第１調湿モジュール（20a）を吸湿側にして第２調湿モジュール（20b）を放湿側にする第１の運転動作を示し、図８は、第２調湿モジュール（20b）を吸湿側にして第１調湿モジュール（20a）を放湿側にする第２の運転動作を示している。また、図７及び図８において、それぞれ、（Ａ）図は平面構造図（装置を平面から見て内部構造を示す図）、（Ｂ）図は左側面構造図、（Ｃ）図は右側面構造図である。
【００９３】
この調湿装置（1）のケーシング（10）は、四角い箱形に形成されている。このケーシング（10）の１つの側壁面には、室外空気（OA）をケーシング（10）内に取り入れる第１吸込口（11）と、室内空気（RA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図６に模式的に矢印で示すダクト（4a，4b，4c，4d）が接続されている。
【００９４】
上記ケーシング（10）内は、上記調湿モジュール（20）が配置された調湿室（C1，C2）と、ファン（30a，30b）が配置されたファン室（C3，C4）が設けられている。調湿室（C1，C2）は、図７，図８においてケーシング（10）内の左右に隣り合って位置する第１調湿室（C1）と第２調湿室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【００９５】
また、上記各吸込口（11，12）と調湿室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各調湿室（C1，C2）との間には、開閉可能なダンパ（D1，D2，D3，D4）が１枚ずつ、合計４枚設けられている。
【００９６】
上記調湿室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各調湿室（C1，C2）と各出口側通風室（C7，C8）との間には、開閉可能なダンパ（D5，D6，D7，D8）が１枚ずつ、合計４枚設けられている。
【００９７】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【００９８】
以上の構成においては、第１の運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【００９９】
このようにダンパ（D1〜D8）の開閉状態を制御することにより、第１の運転動作においては、図７に示すように、第１吸込口（11）からケーシング（10）内に導入された室外空気（OA）が、第１ダンパ（D1）、第１調湿モジュール（20a）及び第５ダンパ（D5）を通って第１吹出口（13）から室内（3）へ供給されるとともに、第２吸込口（12）からケーシング（10）内に導入された室内空気（RA）が、第４ダンパ（D4）、第２調湿モジュール（20b）及び第８ダンパ（D8）を通って第２吹出口（14）から室外へ排出される。また、第２の運転動作においては、図８に示すように、第１吸込口（11）からケーシング（10）内に導入された室外空気（OA）が、第３ダンパ（D3）、第２調湿モジュール（20b）及び第７ダンパ（D7）を通って第１吹出口（13）から室内（3）へ供給されるとともに、第２吹出口（14）からケーシング（10）内に導入された室内空気（RA）が、第２ダンパ（D2）、第１調湿モジュール（20a）及び第６ダンパ（D6）を通って第２吹出口（14）から室外へ排出される。
【０１００】
そして、この実施形態１の変形例３では、ダンパの開閉状態を切り換えることにより、図７の第１運転動作と図８の第２運転動作が交互に繰り返される。
【０１０１】
この調湿装置（1）は除湿専用機として構成されているので、室内（3）へ供給される空気が通過する調湿モジュール（20）は、第１調湿モジュール（20a）と第２調湿モジュール（20b）のどちらに切り換わっても、吸湿動作が行われる方の調湿モジュール（20）である。したがって、室内（3）へは、減湿された空気が連続して供給される。また、室外へ排出される空気が通過する調湿モジュール（20）は、第２調湿モジュール（20b）と第１調湿モジュール（20a）のどちらに切り換わっても放湿動作が行われる方の調湿モジュール（20）である。したがって、室外へ放出される空気が通過する調湿モジュール（20）は、常に再生側となる。
【０１０２】
このように、実施形態１の変形例３によれば、いずれか一方の調湿モジュール（20a，20b）で空気を減湿して、その空気を室内（3）へ供給するときに、他方の調湿モジュール（20b，20a）では吸着層（23）を再生する図７の運転と図８の運転を交互に切り換えることにより、除湿運転を連続して行うことができる。
【０１０３】
（変形例４）
図９に示す変形例４は、ロータ式の調湿モジュール（20）を用いた調湿装置（1）に関する例である。この調湿装置（1）も、図１〜図８の例と同様に除湿専用機として構成されている。
【０１０４】
この調湿装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１０５】
この変形例４の調湿装置（1）では、給気側通路（P1）で吸湿動作が行われ、排気側通路（P2）で放湿動作が行われる。具体的には、調湿モジュール（20）が給気側通路（P1）に位置する部分には電界が印加されずにエレクトロカロリック冷却材料（21）が吸熱して吸着剤が冷却され、空気中の水分が吸着剤に吸着される。また、調湿モジュール（20）が排気側通路（P2）に位置する部分には電界が印加されてエレクトロカロリック冷却材料（21）が放熱して吸着剤が加熱され、吸着剤に含まれている水分が空気に放出されて吸着剤が再生される。
【０１０６】
この実施形態では、吸湿動作と放湿動作は調湿モジュール（20）を連続的または間欠的に回転させながら行われる。したがって、調湿モジュール（20）を排気側通路（P2）で再生しながら、同時に給気側通路（P1）で吸湿処理することができるから、減湿された空気を連続して室内（3）へ供給することができる。
【０１０７】
《発明の実施形態２》
本発明の実施形態２について説明する。
【０１０８】
図１０に示す実施形態２は、図１に示す実施形態１の調湿装置（1）を加湿専用機として構成した例である。
【０１０９】
この調湿装置（1）は、図１の調湿装置（1）と同様に、ケーシング（10）と、ケーシング（10）内に収納された調湿モジュール（20）と、調湿モジュール（20）に空気を流すファン（30）と、調湿モジュール（20）に電界を印加する電圧制御器（35）とを備え、ケーシング（10）とその内部に設けられた機能部品により室内ユニット（U）が構成されている。また、ケーシング（10）内には、該ケーシング（10）内に導入された空気を調湿モジュール（20）に通して室内（3）へ供給するための空気通路（P）が形成されている。
【０１１０】
この実施形態２の調湿装置（1）は、上記調湿モジュール（20）で放湿処理した空気を空気通路（P）により室内（3）に導入することにより、加湿運転を行うことができるようになっている点が図１の調湿装置（1）と異なっている。
【０１１１】
この調湿装置（1）では、図１０（Ａ）において、それまで冷却されていた調湿モジュール（20）のエレクトロカロリック冷却材料（21）に電界が印加される。そうすると、調湿モジュール（20）が放熱し、電極（22）及び吸着層（23）が加熱される。吸着層（23）が加熱されると、吸着層（23）に含まれていた水分が室外から室内（3）へ流れる室外空気（OA）に放出される。したがって、加湿された空気が供給空気（SA）として室内（3）に供給される。
【０１１２】
一方、図１０（Ｂ）においては、ファン（30）の回転方向が切り換えられ、室内空気（RA）が室外へ排出される。このとき、調湿モジュール（20）のエレクトロカロリック冷却材料（21）への電界の印加が解除される。そうすると、調湿モジュール（20）が吸熱し、電極（22）及び吸着層（23）が冷却される。吸着層（23）が冷却されると、空気中の水分が吸着層（23）に吸着される。そして、水分が吸着されて減湿された空気が排出空気（EA）として室外へ放出される。このとき、エレクトロカロリック冷却材料（21）が吸熱するため、吸着熱で吸着層（23）が発熱するのが抑えられる。したがって、吸着性能が低下せずに吸湿動作が行われる。
【０１１３】
−実施形態２の変形例−
（変形例１）
図１１に示す実施形態２の変形例１は、図４の調湿装置（1）を加湿専用機として構成した例である。部屋の対向する壁面の一方（図の右側の壁面）に第１室内ユニット（U1）が設置され、壁面の他方（図の左側の壁面）に第２室内ユニット（U2）が設置されている構成は、図４の調湿装置（1）と同じである。また、各室内ユニット（U1，U2）の構成は図１０の実施形態２と同じである。
【０１１４】
図１１（Ａ）は、第１室内ユニット（U1）で放湿動作を行い、第２室内ユニット（U2）で吸湿動作を行う状態を示している。第１室内ユニット（U1）では、調湿モジュール（20）のエレクトロカロリック冷却材料（21）へ電界が印加される。したがって、第１室内ユニット（U1）の調湿モジュール（20）が放熱し、室外から室内（3）へ流れる室外空気（OA）に水分が与えられる。そして、水分が与えられて加湿された空気が供給空気（SA）として室内（3）へ供給される。
【０１１５】
一方、第２室内ユニット（U2）では、室内空気（RA）が室外へ排出される方向へファン（30）が回転し、同時に調湿モジュール（20）のエレクトロカロリック冷却材料（21）への電界印加が解除される。したがって、空気中の水分が吸着層（23）に吸着され、減湿された空気が排出空気（EA）として室外に放出される。
【０１１６】
図１１（Ｂ）は、第２室内ユニット（U2）で放湿動作を行い、第１室内ユニット（U1）で吸湿動作を行う状態を示している。第２室内ユニット（U2）では、調湿モジュール（20）のエレクトロカロリック冷却材料（21）に電界が印加される。したがって、第２室内ユニット（U2）の調湿モジュール（20）が放熱し、室外から室内（3）へ流れる室外空気（OA）に水分が与えられる。そして、水分が与えられて加湿された空気が供給空気（SA）として室内（3）へ供給される。
【０１１７】
一方、第１室内ユニット（U1）では、室内空気（RA）が室外へ排出される方向へファン（30）が回転し、同時に調湿モジュール（20）のエレクトロカロリック冷却材料（21）への電界印加が解除される。したがって、空気中の水分が吸着層（23）に吸着され、減湿された空気が排出空気（EA）として室外に放出される。
【０１１８】
このように、この実施形態２の変形例１によれば、いずれか一方の室内ユニット（U1，U2）で空気を加湿して、その空気を室内（3）へ供給するときに、他方の室内ユニット（U2，U1）では吸湿動作を行う図１１（Ａ）の運転と図１１（Ｂ）の運転を交互に切り換えることにより、加湿運転を連続して行うことができる。
【０１１９】
（変形例２）
図１２に示す実施形態２の変形例２は、２つの室内ユニット（U1，U2）を空調対象の室内（3）に設置するように構成したものであり、図５に示す実施形態１の変形例２の調湿装置（1）を加湿専用機として構成した例である。この変形例では、第１室内ユニット（U1）と第２室内ユニット（U2）の両方が、図の右側の壁面に設置されている。
【０１２０】
図１２（Ａ）は、第１室内ユニット（U1）で放湿動作を行い、第２室内ユニット（U2）で吸湿動作を行う状態を示している。第１室内ユニット（U1）では、調湿モジュール（20）のエレクトロカロリック冷却材料（21）に電界が印加される。したがって、第１室内ユニット（U1）の調湿モジュール（20）が放熱し、室外から室内（3）へ流れる室外空気（OA）に水分が与えられる。そして、水分が与えられて加湿された空気が供給空気（SA）として室内（3）へ供給される。
【０１２１】
一方、第２室内ユニット（U2）では、室内空気（RA）が室外へ排出される方向へファン（30）が回転し、同時に調湿モジュール（20）のエレクトロカロリック冷却材料（21）への電界印加が解除される。したがって、空気中の水分が吸着層（23）に吸着され、減湿された空気が排出空気（EA）として室外に放出される。
【０１２２】
図１２（Ｂ）は、第２室内ユニット（U2）で放湿動作を行い、第１室内ユニット（U1）で吸湿動作を行う状態を示している。第２室内ユニット（U2）では、調湿モジュール（20）のエレクトロカロリック冷却材料（21）に電界が印加される。したがって、第２室内ユニット（U2）の調湿モジュール（20）が放熱し、室外から室内（3）へ流れる室外空気（OA）に水分が与えられる。そして、水分が与えられて加湿された空気が供給空気（SA）として室内（3）へ供給される。
【０１２３】
一方、第１室内ユニット（U1）では、室内空気（RA）が室外へ排出される方向へファン（30）が回転し、同時に調湿モジュール（20）のエレクトロカロリック冷却材料（21）への電界印加が解除される。したがって、空気中の水分が吸着層（23）に吸着され、減湿された空気が排出空気（EA）として室外に放出される。
【０１２４】
このように、この実施形態２の変形例２によれば、いずれか一方の室内ユニット（U1，U2）で空気を加湿して、その空気を室内（3）へ供給するときに、他方の室内ユニット（U2，U1）では吸湿動作を行う図１２（Ａ）の運転と図１２（Ｂ）の運転を交互に切り換えることにより、加湿運転を連続して行うことができる。
【０１２５】
（変形例３）
図１３に示す実施形態２の変形例３は、図６〜図８に示す実施形態１の変形例３の調湿装置（1）を加湿専用機として構成した例である。この調湿装置（1）は、具体的には、図６〜図８と同様に、ケーシング（10）内に２つの調湿モジュール（20a，20b）を設け、一方の調湿モジュール（20）（第１調湿モジュール（20a））を通過した空気を室内（3）に供給して他方の調湿モジュール（20）（第２調湿モジュール（20b））を通過した空気を室外へ放出する第１の運転動作と、第２調湿モジュール（20b）を通過した空気を室内（3）に供給して第１調湿モジュール（20a）を通過した空気を室外へ放出する第２の運転動作とを切り換えるように構成されている。
【０１２６】
調湿装置（1）は、具体的には図１４，１５に示すように構成されている。この調湿装置（1）は、２つの調湿モジュール（20a，20b）と２つのファン（30a，30b）を１つのケーシング（10）内に収納した一体型の構成で、天井裏に設置されている。図１４は、第１調湿モジュール（20a）を放湿側にして第２調湿モジュール（20b）を吸湿側にする第１の運転動作を示し、図１５は、第２調湿モジュール（20b）を放湿側にして第１調湿モジュール（20a）を吸湿側にする第２の運転動作を示している。また、図１４及び図１５において、それぞれ、（Ａ）図は平面構造図（装置を平面から見て内部構造を示す図）、（Ｂ）図は左側面構造図、（Ｃ）図は右側面構造図である。
【０１２７】
この調湿装置（1）のケーシング（10）は、四角い箱形に形成されている。このケーシング（10）の１つの側壁面には、室外空気（OA）をケーシング（10）内に取り入れる第１吸込口（11）と、室内空気（RA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図１３に模式的に矢印で示すダクト（4a，4b，4c，4d）が接続されている。
【０１２８】
上記ケーシング（10）内は、上記調湿モジュール（20）が配置された調湿室（C1，C2）と、ファン（30a，30b）が配置されたファン室（C3，C4）が設けられている。調湿室（C1，C2）は、図１４，図１５においてケーシング（10）内の左右に隣り合って位置する第１調湿室（C1）と第２調湿室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【０１２９】
また、上記各吸込口（11，12）と調湿室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各調湿室（C1，C2）との間には、開閉可能なダンパ（D1，D2，D3，D4）が１枚ずつ、合計４枚設けられている。
【０１３０】
上記調湿室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各調湿室（C1，C2）と各出口側通風室（C7，C8）との間には、開閉可能なダンパ（D5，D6，D7，D8）が１枚ずつ、合計４枚設けられている。
【０１３１】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【０１３２】
以上の構成においては、第１の運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０１３３】
このようにダンパ（D1〜D8）の開閉状態を制御することにより、第１の運転動作においては、図１４に示すように、第１吸込口（11）からケーシング（10）内に導入された室外空気（OA）が、第１ダンパ（D1）、第１調湿モジュール（20a）及び第５ダンパ（D5）を通って第１吹出口（13）から室内（3）へ供給されるとともに、第２吸込口（12）からケーシング（10）内に導入された室内空気（RA）が、第４ダンパ（D4）、第２調湿モジュール（20b）及び第８ダンパ（D8）を通って第２吹出口（14）から室外へ排出される。また、第２の運転動作においては、図１５に示すように、第１吸込口（11）からケーシング（10）内に導入された室外空気（OA）が、第３ダンパ（D3）、第２調湿モジュール（20b）及び第７ダンパ（D7）を通って第１吹出口（13）から室内（3）へ供給されるとともに、第２吹出口（14）からケーシング（10）内に導入された室内空気（RA）が、第２ダンパ（D2）、第１調湿モジュール（20a）及び第６ダンパ（D6）を通って第２吹出口（14）から室外へ排出される。
【０１３４】
そして、この実施形態２の変形例３では、ダンパの開閉状態を切り換えることにより、図１４の第１運転動作と図１５の第２運転動作が交互に繰り返される。
【０１３５】
この調湿装置（1）は加湿専用機として構成されているので、室内（3）へ供給される空気が通過する調湿モジュール（20）は、第１調湿モジュール（20a）と第２調湿モジュール（20b）のどちらに切り換わっても、放湿動作が行われる方の調湿モジュール（20）である。したがって、室内（3）へは、加湿された空気が連続して供給される。また、室外へ排出される空気が通過する調湿モジュール（20）は、第２調湿モジュール（20b）と第１調湿モジュール（20a）のどちらに切り換わっても吸湿動作が行われる方の調湿モジュール（20）である。したがって、室外へ放出される空気が通過する調湿モジュール（20）は、常に吸着側となる。
【０１３６】
このように、実施形態２の変形例３によれば、いずれか一方の調湿モジュール（20a，20b）で空気を加湿して、その空気を室内（3）へ供給するときに、他方の調湿モジュール（20b，20a）では吸着層（23）で空気中の水分を吸着する図１４の運転と図１５の運転を交互に切り換えることにより、加湿運転を連続して行うことができる。
【０１３７】
（変形例４）
図１６に示す実施形態２の変形例４は、ロータ式の調湿モジュール（20）を用いた調湿装置（1）に関するものである。この調湿装置（1）も、実施形態２及びその変形例１〜３と同様に加湿専用機として構成されている。
【０１３８】
この調湿装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１３９】
この変形例４の調湿装置（1）では、給気側通路（P1）で放湿動作が行われ、排気側通路（P2）で吸湿動作が行われる。具体的には、調湿モジュール（20）が給気側通路（P1）に位置する部分には電界が印加されてエレクトロカロリック冷却材料（21）が放熱して吸着剤が加熱され、吸着剤が再生されるとともに吸着剤に含まれている水分が空気に与えられる。また、調湿モジュール（20）が排気側通路（P2）に位置する部分には電界が印加されずにエレクトロカロリック冷却材料（21）が吸熱して吸着剤が冷却され、空気中の水分が吸着剤に吸着される。
【０１４０】
この実施形態では、放湿動作と吸湿動作は調湿モジュール（20）を連続的または間欠的に回転させながら行われる。したがって、調湿モジュール（20）を排気側通路（P2）で吸湿処理しながら、同時に給気側通路（P1）で放湿処理することができるから、加湿された空気を連続して室内（3）へ供給することができる。
【０１４１】
《発明の実施形態３》
本発明の実施形態３について説明する。
【０１４２】
図１７に示す実施形態３は、図５に示す実施形態１の変形例２に係る調湿装置（1）が除湿専用機であるのに対して、空気の冷却もできるように構成した例である。この調湿装置（1）も図５の例と同様に２つの室内ユニット（U1，U2）を備え、第１室内ユニット（U1）と第２室内ユニット（U2）の両方が図の一つの壁面（右側の壁面）に設置されている。
【０１４３】
この調湿装置（1）では、第１室内ユニット（U1）と第２室内ユニット（U2）に、上記調湿モジュール（20）に加えて、該調湿モジュール（20）に吸着層（23）を設けずに空気の冷却と加熱を行うように構成した冷却加熱モジュール（24）が設けられている。つまり、この冷却加熱モジュール（24）は、図２，図３において、エレクトロカロリック冷却材料（21）と、このエレクトロカロリック冷却材料（21）に電源（25）から電界を印加するように該エレクトロカロリック冷却材料（21）に設けられた一対の電極（22）のみから構成されている。冷却加熱モジュール（24）では、電界を印加すると空気を加熱することができ、電界の印加を解除すると空気を冷却することができる。
【０１４４】
この実施形態３では、第１室内ユニット（U1）と第２室内ユニット（U2）のいずれについても、空気は調湿モジュール（20）と冷却加熱モジュール（24）を通過する。したがって、この調湿装置（1）では、空気の吸湿処理及び放湿処理を行うことに加えて、空気の冷却処理と加熱処理も行うことができる。
【０１４５】
調湿モジュール（20）と冷却加熱モジュール（24）は、調湿モジュール（20）の吸湿動作時に調湿モジュール（20）が冷却加熱モジュール（24）の上流側に位置し、調湿モジュール（20）の放湿動作時には調湿モジュール（20）が冷却加熱モジュール（24）の下流側に位置するように配置されている。
【０１４６】
図１７（Ａ）は、第１室内ユニット（U1）で冷却吸湿動作を行い、第２室内ユニット（U2）で加熱放湿動作を行う状態を示している。第１室内ユニット（U1）では、調湿モジュール（20）のエレクトロカロリック冷却材料（21）への電界の印加が解除される。したがって、第１室内ユニット（U1）の調湿モジュール（20）が吸熱し、室外から室内（3）へ流れる室外空気（OA）の水分が吸着される。また、第１室内ユニット（U1）では、冷却加熱モジュール（24）への電界の印加も解除される。したがって、室外から室内（3）へ流れる空気が冷却される。そして、減湿されるとともに冷却された空気が供給空気（SA）として室内（3）へ供給される。
【０１４７】
一方、第２室内ユニット（U2）では、室内空気（RA）が室外へ排出される方向へファン（30）が回転し、同時に冷却加熱モジュール（24）のエレクトロカロリック冷却材料（21）に電界が印加され、調湿モジュール（20）のエレクトロカロリック冷却材料（21）にも電界が印加される。したがって、室内（3）から室外へ向かう空気が冷却加熱モジュール（24）で加熱されてから調湿モジュール（20）を通過し、その際に調湿モジュール（20）も発熱しているので、調湿モジュール（20）の吸着層（23）に含まれている水分が空気に与えられて、該空気が排出空気（EA）として室外に放出される。このことにより、調湿モジュール（20）の吸着層（23）が再生される。
【０１４８】
図１７（Ｂ）は、第２室内ユニット（U2）で冷却吸湿動作を行い、第１室内ユニット（U1）で加熱放湿動作を行う状態を示している。第２室内ユニット（U2）では、調湿モジュール（20）のエレクトロカロリック冷却材料（21）への電界の印加が解除される。したがって、第２室内ユニット（U2）の調湿モジュール（20）が吸熱し、室外から室内（3）へ流れる室外空気（OA）の水分が吸着される。また、第２室内ユニット（U2）では、冷却加熱モジュール（24）への電界の印加も解除される。したがって、室外から室内（3）へ流れる空気が冷却される。そして、減湿されるとともに冷却された空気が供給空気（SA）として室内（3）へ供給される。
【０１４９】
一方、第１室内ユニット（U1）では、室内空気（RA）が室外へ排出される方向へファン（30）が回転し、同時に冷却加熱モジュール（24）のエレクトロカロリック冷却材料（21）に電界が印加され、調湿モジュール（20）のエレクトロカロリック冷却材料（21）にも電界が印加される。したがって、室内（3）から室外へ向かう空気が冷却加熱モジュール（24）で加熱されてから調湿モジュール（20）を通過し、その際に調湿モジュール（20）も発熱しているので、調湿モジュール（20）の吸着層（23）に含まれている水分が空気に与えられて、該空気が排出空気（EA）として室外に放出される。このことにより、調湿モジュール（20）の吸着層（23）が再生される。
【０１５０】
このように、実施形態３によれば、いずれか一方の室内ユニット（U1，U2）で空気の減湿と冷却を行って、その空気を室内（3）へ供給するときに、他方の室内ユニット（U2，U1）では空気の加熱と吸着層（23）の再生を行う図１７（Ａ）の運転と図１７（Ｂ）の運転を交互に切り換えることにより、除湿冷房運転を連続して行うことができる。
【０１５１】
なお、この実施形態では、空気の流れに対して調湿モジュール（20）と冷却加熱モジュール（24）を直列に配置して、潜熱処理をした室外空気をさらに顕熱処理して室内に供給するようにしているが、調湿モジュール（20）と冷却加熱モジュール（24）を並列に配置して、潜熱処理をした室外空気と顕熱処理をした室外空気を混合して室内に供給するようにしてもよい。このように構成してもよいことは、以下の変形例においても同様である。
【０１５２】
−実施形態３の変形例−
（変形例１）
図１８に示す実施形態３の変形例１は、ロータ式の調湿モジュール（20）を用いた調湿装置（1）に関するものである。この調湿装置（1）は、ロータ式の調湿モジュール（20）に加えて、ロータ式の冷却加熱モジュール（24）も備え、除湿冷房を行えるように構成されている。
【０１５３】
この調湿装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１５４】
また、冷却加熱モジュール（24）も円板状に形成され、上記ケーシング（10）内で給気側通路（P1）と排気側通路（P2）に跨って配置されている。この冷却加熱モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１５５】
この実施形態３の変形例１の調湿装置（1）では、給気側通路（P1）で冷却吸湿動作が行われ、排気側通路（P2）で加熱放湿動作が行われる。具体的には、調湿モジュール（20）が給気側通路（P1）に位置する部分には電界が印加されずにエレクトロカロリック冷却材料（21）が吸熱して吸着剤が冷却され、室外空気（OA）中の水分が吸着剤に吸着される。また、冷却加熱モジュール（24）が給気側通路（P1）に位置する部分には電界が印加されずにエレクトロカロリック冷却材料（21）が吸熱し、空気が冷却される。そして、減湿されて冷却された空気が供給空気（SA）として室内（3）に供給される。
【０１５６】
一方、冷却加熱モジュール（24）が排気側通路（P2）に位置する部分には電界が印加されてエレクトロカロリック冷却材料（21）が放熱し、室内（3）から室外へ向かう室内空気（RA）が加熱される。また、調湿モジュール（20）が排気側通路（P2）に位置する部分には電界が印加されてエレクトロカロリック冷却材料（21）が放熱して吸着剤が加熱され、吸着剤に含まれている水分が室内空気（RA）に放出されて吸着剤が再生される。そして、水分の与えられた空気が排出空気（EA）として室外へ放出される。
【０１５７】
この変形例では、冷却吸湿動作と加熱放湿動作は調湿モジュール（20）と冷却加熱モジュール（24）を連続的または間欠的に回転させながら行われる。したがって、調湿モジュール（20）を排気側通路（P2）で再生しながら、同時に給気側通路（P1）で吸湿冷却処理することができるから、減湿かつ冷却された空気を連続して室内（3）へ供給することができる。
【０１５８】
（変形例２）
図１９に示す実施形態３の変形例２は、図１７に示した実施形態３に係る調湿装置（1）が除湿冷房機であるのに対して、加湿暖房機として構成した例である。この変形例においても、第１室内ユニット（U1）と第２室内ユニット（U2）の両方が、図の右側の壁面に設置されている。
【０１５９】
この調湿装置（1）においても、第１室内ユニット（U1）と第２室内ユニット（U2）に、上記調湿モジュール（20）に加えて、該調湿モジュール（20）に吸着層（23）を設けずに空気の冷却と加熱を行うように構成した冷却加熱モジュール（24）が設けられている。つまり、この冷却加熱モジュール（24）は、図２，図３において、エレクトロカロリック冷却材料（21）と、このエレクトロカロリック冷却材料（21）に電源（25）から電界を印加するように該エレクトロカロリック冷却材料（21）に設けられた一対の電極（22）のみから構成されている。冷却加熱モジュール（24）では、電界を印加すると空気を加熱することができ、電界の印加を解除すると空気を冷却することができる。
【０１６０】
第１室内ユニット（U1）と第２室内ユニット（U2）は、図１７の実施形態３と同様に構成されている。
【０１６１】
図１９（Ａ）は、第１室内ユニット（U1）で加熱放湿動作を行い、第２室内ユニット（U2）で冷却吸湿動作を行う状態を示している。第１室内ユニット（U1）では、調湿モジュール（20）のエレクトロカロリック冷却材料（21）に電界が印加される。したがって、第１室内ユニット（U1）の調湿モジュール（20）が放熱し、室外から室内（3）へ流れる室外空気（OA）に水分が与えられる。また、第１室内ユニット（U1）では、冷却加熱モジュール（24）へも電界が印加される。したがって、室外から室内（3）へ流れる室外空気（OA）が加熱される。そして、加湿されるとともに加熱された空気が供給空気（SA）として室内（3）へ供給される。
【０１６２】
一方、第２室内ユニット（U2）では、室内空気（RA）が室外へ排出される方向へファン（30）が回転し、同時に冷却加熱モジュール（24）のエレクトロカロリック冷却材料（21）への電界印加が解除され、調湿モジュール（20）のエレクトロカロリック冷却材料（21）への電界印加も解除される。したがって、室内（3）から室外へ向かう室内空気（RA）が冷却加熱モジュール（24）で冷却されてから調湿モジュール（20）を通過する。その際に、調湿モジュール（20）も吸熱しているので、調湿モジュール（20）の吸着層（23）に室内空気（RA）中の水分が吸着されて、該空気が排出空気（EA）として室外に放出される。
【０１６３】
図１９（Ｂ）は、第２室内ユニット（U2）で加熱放湿動作を行い、第１室内ユニット（U1）で冷却吸湿動作を行う状態を示している。第２室内ユニット（U2）では、調湿モジュール（20）のエレクトロカロリック冷却材料（21）に電界が印加される。したがって、第２室内ユニット（U2）の調湿モジュール（20）が発熱し、室外から室内（3）へ流れる室外空気（OA）に水分が与えられる。また、第２室内ユニット（U2）では、冷却加熱モジュール（24）にも電界が印加される。したがって、室外から室内（3）へ流れる室外空気（OA）が加熱される。そして、加湿されるとともに加熱された空気が供給空気（SA）として室内（3）へ供給される。
【０１６４】
一方、第１室内ユニット（U1）では、室内空気（RA）が室外へ排出される方向へファン（30）が回転し、同時に冷却加熱モジュール（24）のエレクトロカロリック冷却材料（21）への電界印加が解除され、調湿モジュール（20）のエレクトロカロリック冷却材料（21）への電界印加も解除される。したがって、室内（3）から室外へ向かう室内空気（RA）が冷却加熱モジュール（24）で冷却されてから調湿モジュール（20）を通過する。その際に、調湿モジュール（20）も吸熱しているので、調湿モジュール（20）の吸着層（23）に室内空気（RA）中の水分が吸着されて、該空気が排出空気（EA）として室外に放出される。
【０１６５】
この実施形態３の変形例２によれば、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図１９（Ａ）の運転と図１９（Ｂ）の運転を交互に切り換えることにより、加湿暖房運転を連続して行うことができる。
【０１６６】
（変形例３）
図２０に示す実施形態３の変形例３は、図１８に示す変形例１に係る調湿装置（1）が除湿冷房機であるのに対して、加湿暖房機として構成した例である。この変形例においても、ロータ式の調湿モジュール（20）に加えて、ロータ式の冷却加熱モジュール（24）が用いられている。
【０１６７】
この調湿装置（1）のケーシング（10）、調湿モジュール（20）及び冷却加熱モジュール（24）は図１８と同様に構成されている。
【０１６８】
具体的には、調湿装置（1）のケーシング（10）に、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。また、冷却加熱モジュール（24）も円板状に形成され、上記ケーシング（10）内で給気側通路（P1）と排気側通路（P2）に跨って配置されている。この冷却加熱モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１６９】
この変形例３の調湿装置（1）では、給気側通路（P1）で加熱放湿動作が行われ、排気側通路（P2）で冷却吸湿動作が行われる。具体的には、調湿モジュール（20）が給気側通路（P1）に位置する部分には、電界が印加されることによりエレクトロカロリック冷却材料（21）が発熱して吸着剤が加熱され、吸着剤に吸着されている水分が空気に与えられる。また、冷却加熱モジュール（24）が給気側通路（P1）に位置する部分には、電界が印加されることによりエレクトロカロリック冷却材料（21）が発熱し、空気が加熱される。
【０１７０】
一方、冷却加熱モジュール（24）が排気側通路（P2）に位置する部分には、電界の印加が解除されてエレクトロカロリック冷却材料（21）が吸熱して、室内（3）から室外へ向かう空気が冷却される。また、調湿モジュール（20）が排気側通路（P2）に位置する部分には、電界の印加が解除されてエレクトロカロリック冷却材料（21）が吸熱して吸着剤が冷却され、空気中の水分が吸着剤に吸着される。
【０１７１】
この実施形態３の変形例３では、加熱放湿動作と冷却吸湿動作は調湿モジュール（20）を連続的または間欠的に回転させながら行われる。したがって、調湿モジュール（20）に排気側通路（P2）で水分を与えながら、同時に給気側通路（P1）で放湿加熱処理することができるから、加熱加湿された空気を連続して室内（3）へ供給する加湿暖房運転を行うことができる。
【０１７２】
《発明の実施形態４》
本発明の実施形態４について説明する。
【０１７３】
この実施形態４の調湿装置（1）は、図１及び図１０に示す調湿装置（1）において、調湿モジュール（20）で吸湿処理した空気を室内（3）に導入する除湿動作と、調湿モジュール（20）で放湿処理した空気を室内（3）に導入する加湿動作とを切り換え可能に構成したものである。
【０１７４】
例えば、図１の調湿装置（1）において、室外から室内（3）へ空気を供給するときに、図１（Ａ）に示すように調湿モジュール（20）のエレクトロカロリック冷却材料（21）への電界印加を解除する運転と、図１０（Ａ）に示すように調湿モジュール（20）のエレクトロカロリック冷却材料（21）に電界を印加する運転とを切り換え可能に電源回路が構成され、室内（3）から室外へ空気を放出するときに、図１（Ｂ）に示すように調湿モジュール（20）に電界を印加する運転と、図１０（Ｂ）に示すように調湿モジュール（20）への電界印加を解除する運転とを切り換え可能に電源回路が構成される。
【０１７５】
このように構成すれば、１つの調湿モジュール（20）を備えた室内ユニット（U）を有する調湿装置（1）において、室内（3）を間欠的に除湿する運転と、室内（3）を間欠的に加湿する運転とを切り換えて行うことが可能になる。
【０１７６】
（変形例１）
実施形態４の変形例１は、図４及び図１１の調湿装置（1）において、電界の印加状態を切り換えることにより、図４（Ａ）の運転と図１１（Ａ）の運転とを切り換え可能に構成するとともに、図４（Ｂ）の運転と図１１（Ｂ）の運転とを切り換え可能に構成したものである。装置の基本的な構成は図４及び図１１と同様であるため、具体的な説明は省略する。
【０１７７】
この調湿装置（1）において、図４（Ａ），（Ｂ）の運転では、室外から室内（3）へ供給される空気が通過する調湿モジュール（20）への電界の印加が解除され、室内（3）から室外へ排出される空気が通過する調湿モジュール（20）へ電界が印加される。また、図１１（Ａ），（Ｂ）の運転では、室外から室内（3）へ供給される空気が通過する調湿モジュール（20）に電界が印加され、室内（3）から室外へ排出される空気が通過する調湿モジュール（20）への電界印加が解除される。
【０１７８】
このように構成すれば、２つの室内ユニット（U1，U2）を部屋の対向する壁面に設置した調湿装置（1）において、室内（3）を連続的に除湿する運転と、室内（3）を連続的に加湿する運転とを切り換えて行うことが可能になる。
【０１７９】
（変形例２）
実施形態４の変形例２は、図５及び図１２の調湿装置（1）において、電界の印加状態を切り換えることにより、図５（Ａ）の運転と図１２（Ａ）の運転とを切り換え可能に構成するとともに、図５（Ｂ）の運転と図１２（Ｂ）の運転とを切り換え可能に構成したものである。装置の基本的な構成は図５及び図１２と同様であるため、具体的な説明は省略する。
【０１８０】
この調湿装置（1）において、図５（Ａ），（Ｂ）の運転では、室外から室内（3）へ供給される空気が通過する調湿モジュール（20）への電界の印加が解除され、室内（3）から室外へ排出される空気が通過する調湿モジュール（20）へ電界が印加される。また、図１２（Ａ），（Ｂ）の運転では、室外から室内（3）へ供給される空気が通過する調湿モジュール（20）に電界が印加され、室内（3）から室外へ排出される空気が通過する調湿モジュール（20）への電界印加が解除される。
【０１８１】
このように構成すれば、２つの室内ユニット（U1，U2）を部屋の一方の壁面に設置した調湿装置（1）において、室内（3）を連続的に除湿する運転と、室内（3）を連続的に加湿する運転とを切り換えて行うことが可能になる。
【０１８２】
（変形例３）
実施形態４の変形例３は、図６〜図８及び図１３〜図１５の調湿装置（1）において、電界の印加状態を切り換えることにより、図７の運転と図１４の運転とを切り換え可能に構成するとともに、図８の運転と図１５の運転とを切り換え可能に構成したものである。装置の基本的な構成は図６〜図８及び図１３〜図１５と同様であるため、具体的な説明は省略する。
【０１８３】
この調湿装置（1）において、図７，８の運転では、室外から室内（3）へ供給される空気が通過する調湿モジュール（20）への電界の印加が解除され、室内（3）から室外へ排出される空気が通過する調湿モジュール（20）へ電界が印加される。また、図１４，１５の運転では、室外から室内（3）へ供給される空気が通過する調湿モジュール（20）に電界が印加され、室内（3）から室外へ排出される空気が通過する調湿モジュール（20）への電界印加が解除される。
【０１８４】
このように構成すれば、２つの調湿モジュール（20）を備えたケーシング（10）内で空気の流通経路を切り換え可能なユニットを用いた調湿装置（1）において、室内（3）を連続的に除湿する運転と、室内（3）を連続的に加湿する運転とを切り換えて行うことが可能になる。
【０１８５】
（変形例４）
実施形態４の変形例４は、図９の調湿装置（1）と図１６の調湿装置（1）を１つの装置として構成し、電界の印加状態を切り換えることにより、図９の運転と図１６の運転を切り換え可能に構成したものである。装置の基本的な構成は図９及び図１６と同様であるため、具体的な説明は省略する。
【０１８６】
この調湿装置（1）において、図９の運転では、室外から室内（3）へ供給される空気が通過する部分において調湿モジュール（20）への電界の印加が解除され、室内（3）から室外へ排出される空気が通過する部分において調湿モジュール（20）へ電界が印加される。また、図１６の運転では、室外から室内（3）へ供給される空気が通過する部分において調湿モジュール（20）に電界が印加され、室内（3）から室外へ排出される空気が通過する部分において調湿モジュール（20）への電界印加が解除される。
【０１８７】
このように構成すれば、ロータ式の調湿モジュール（20）を備えた調湿装置（1）において、室内（3）を連続的に除湿する運転と、室内（3）を連続的に加湿する運転とを切り換えて行うことが可能になる。
【０１８８】
（変形例５）
実施形態４の変形例５は、図１７及び図１９の調湿装置（1）において、電界の印加状態を切り換えることにより、図１７（Ａ）の運転と図１９（Ａ）の運転とを切り換え可能に構成するとともに、図１７（Ｂ）の運転と図１９（Ｂ）の運転とを切り換え可能に構成したものである。装置の基本的な構成は図１７及び図１９と同様であるため、具体的な説明は省略する。
【０１８９】
この調湿装置（1）において、図１７（Ａ），（Ｂ）の運転では、室外から室内（3）へ供給される空気が通過する調湿モジュール（20）と冷却加熱モジュール（24）への電界の印加が解除され、室内（3）から室外へ排出される空気が通過する調湿モジュール（20）と冷却加熱モジュール（24）へ電界が印加される。また、図１９（Ａ），（Ｂ）の運転では、室外から室内（3）へ供給される空気が通過する調湿モジュール（20）と冷却加熱モジュール（24）に電界が印加され、室内（3）から室外へ排出される空気が通過する調湿モジュール（20）と冷却加熱モジュール（24）への電界印加が解除される。
【０１９０】
このように構成すれば、２つの室内ユニット（U1，U2）のそれぞれに調湿モジュール（20）と冷却加熱モジュール（24）を設けた調湿装置（1）において、室内（3）を連続的に除湿冷房する運転と、室内（3）を連続的に加湿暖房する運転とを切り換えて行うことが可能になる。
【０１９１】
（変形例６）
実施形態４の変形例６は、図１８の調湿装置（1）と図２０の調湿装置（1）を１つの装置として構成し、電界の印加状態を切り換えることにより、図１８の運転と図２０の装置の運転を切り換え可能に構成したものである。装置の基本的な構成は図１８及び図２０と同様であるため、具体的な説明は省略する。
【０１９２】
この調湿装置（1）において、図１８の運転では、室外から室内（3）へ供給される空気が通過する部分において調湿モジュール（20）と冷却加熱モジュール（24）への電界の印加が解除され、室内（3）から室外へ排出される空気が通過する部分において調湿モジュール（20）と冷却加熱モジュール（24）へ電界が印加される。また、図２０の運転では、室外から室内（3）へ供給される空気が通過する部分において調湿モジュール（20）と冷却加熱モジュール（24）に電界が印加され、室内（3）から室外へ排出される空気が通過する部分において調湿モジュール（20）と冷却加熱モジュール（24）への電界印加が解除される。
【０１９３】
このように構成すれば、ロータ式の調湿モジュール（20）と冷却加熱モジュール（24）を備えた調湿装置（1）において、室内（3）を連続的に除湿冷房する運転と、室内（3）を連続的に加湿暖房する運転とを切り換えて行うことが可能になる。
【０１９４】
《発明の実施形態５》
本発明の実施形態５について説明する。
【０１９５】
図２１及び図２２に示す実施形態５は、調湿モジュール（20）の具体的な構成に関するものである。この実施形態５の調湿モジュール（20）と、下記の変形例１〜３（図２３〜図２５）の調湿モジュール（20）は、チューブ状またはプレート状に形成された上記エレクトロカロリック冷却材料（21）の表面及び裏面に上記電極（22）が設けられたベースモジュールを備え、該ベースモジュールの周囲に吸着剤の層を形成したものである。
【０１９６】
まず、図２１において、調湿モジュール（20）は、複数の調湿チューブ（41）と２枚の電極板（42）を備えている。各調湿チューブ（41）は互いに平行になるように、複数列、複数段に配置され、その両端に電極板（42）が接続されている。また、電極板（42）の一方には電源（25）のプラス極が接続され、電極板（42）の他方には電源（25）のマイナス極が接続されている。この調湿モジュール（20）は、調湿チューブ（41）の軸方向が空気の流れ方向と直角の方向になるように配置される。
【０１９７】
図２２（Ａ）は調湿チューブ（41）の断面構造を示す部分拡大断面図である。調湿チューブ（41）は、上記エレクトロカロリック冷却材料（21）により薄い円筒膜の形状に形成された電熱チューブ（43）と、電熱チューブ（43）の内周面に接触するように設けられた棒状電極（44）と、電熱チューブ（43）の外周面に接触するように設けられた筒状電極（45）とを備えている。また、筒状電極（45）の外周面には、吸着剤を膜状にした吸着面（46）が形成されている。棒状電極（44）と筒状電極（45）は図２，図３の電極（22）に対応し、吸着面（46）は吸着層（23）に対応している。上記電熱チューブ（43）と棒状電極（44）と筒状電極（45）により、調湿モジュール（20）のベースモジュール（47）が構成されている。
【０１９８】
上記棒状電極（44）が電極板（42）の一方に電気的に接続され、上記筒状電極（45）が電極板（42）の他方に電気的に接続されている。この構成において、電熱チューブ（43）に電界を印加すると吸着面（46）が周囲の空気へ発熱し、電界の印加を解除すると吸着面（46）が周囲の空気から吸熱する。
【０１９９】
この実施形態５の調湿モジュール（20）は、電界を印加することにより吸着面（46）が発熱すると、該吸着面（46）の吸着剤に含まれている水分が周囲の空気に放出され、空気が加湿される。また、調湿モジュール（20）への電界の印加を解除することにより吸着面（46）が冷却されると、周囲の空気から吸着面（46）の吸着剤に水分が吸着され、空気が減湿される。
【０２００】
この実施形態５の調湿モジュール（20）は、簡単な構成で実用化できるとともにモジュール自体を小型化できるので、例えば図１に示した実施形態１の調湿装置（1）に適用することにより、調湿装置（1）の構成が複雑化するのを抑え、同時に装置（1）を小型化することもできる。また、この調湿モジュール（20）は、図４〜図８、図１０〜図１５、図１７及び図１９の調湿装置（1）にも容易に適用することができる。
【０２０１】
なお、調湿チューブ（41）は、図２２（Ｂ）に示しているように構成してもよい。図２２（Ｂ）の調湿チューブ（41）は、上記吸着面（46）の代わりに、筒状電極（45）の周囲に、円環状で表面に吸着剤を塗布して構成した吸着フィン（48）を設けるようにした例である。
【０２０２】
このように構成すると、図２２（Ａ）の例と比較して、空気との接触面積を大きくすることができるから、調湿能力を高めることが可能になる。
【０２０３】
（変形例１）
図２３に示す実施形態５の変形例１に係る調湿モジュール（20）は、図２１，図２２の例とは形状が異なるようにしたものである。
【０２０４】
この調湿モジュール（20）は、エレクトロカロリック冷却材料（21）により薄い平板状に形成された電熱板（51）と、電熱板（51）の表面に接触するように設けられた第１の板状電極（52）と、電熱板（51）の裏面に接触するように設けられた第２の板状電極（53）とを備えている。上記電熱板（51）と両板状電極（52，53）とによりベースモジュール（54）が構成されている。
【０２０５】
図２３における第１の板状電極（52）の上面と第２の板状電極（53）の下面には、それぞれ複数のプレートフィン（55）が固定されている。各プレートフィン（55）は、互いに平行に配列されている。各プレートフィン（55）の表面には、吸着剤を塗布することにより吸着面（56）が形成されている。この調湿モジュール（20）は、プレートフィン（55）の面方向が空気の流れ方向と平行になるように調湿装置（1）に設置される。
【０２０６】
第１の板状電極（52）には電源（25）のプラス極が接続され、第２の板状電極（53）には電源（25）のマイナス極が接続されている。この構成において、電熱板（51）に電界を印加すると電熱板（51）が発熱し、その熱がプレートフィン（55）に伝わって吸着面（56）が加熱される。したがって、吸着面（56）が周囲の空気へ発熱する。一方、電熱板（51）への電界印加を解除すると電熱板（51）が吸熱し、プレートフィン（55）も冷却される。したがって、吸着面（56）が周囲の空気から吸熱する。
【０２０７】
そして、電界を印加することにより吸着面（56）が発熱すると、該吸着面（56）の吸着剤に含まれている水分が周囲の空気に放出され、空気が加湿される。また、調湿モジュール（20）への電界の印加を解除することにより吸着面（56）が冷却されると、周囲の空気から吸着面（56）の吸着剤に水分が吸着され、空気が減湿される。
【０２０８】
この実施形態５の変形例１に係る調湿モジュール（20）は、図２１及び図２２のものと同様に構成が複雑になるのを抑えながらモジュール自体を小型化できるので、例えば図１に示した実施形態１の調湿装置（1）に適用することにより、調湿装置（1）の構成を簡単にするとともに小型化することができる。
【０２０９】
（変形例２）
図２４に示す実施形態５の変形例２に係る調湿モジュール（20）は、図２１〜図２３に示す例とは形状が異なるようにしたものである。
【０２１０】
この調湿モジュール（20）は、可撓性電熱板（61）と、可撓性電熱板（61）の一方の面に接する状態で設けられた第１の可撓性電極板（62）と、可撓性電熱板（61）の他方の面に接する状態で設けられた第２の可撓性電極板（63）とを備えている。上記可撓性電熱板（61）と両可撓性電極板（62，63）とによりベースモジュール（64）が構成されている。
【０２１１】
このベースモジュール（64）は、可撓性電熱板（61）に可撓性電極板（62，63）を積層して形成した帯状部材を数回折り返すことによりブロック状に形成されている。また、可撓性電極板（62，63）同士が対向する部分は若干の間隔をあけて折り返され、その部分に形成された空間には電気絶縁材（66）が充填されている。
【０２１２】
上記第１の可撓性電極板（62）の表面には、少なくともベースモジュール（64）の表面に露出する部分に吸着剤が塗布されている。このように第１の可撓性電極板（62）の表面に吸着剤を塗布することにより吸着面（65）が形成されている。
【０２１３】
この実施形態５の変形例２においては、吸着面（65）の周囲を空気が流れる状態で可撓性電熱板（61）に電界を印加すると、調湿モジュール（20）の全体が加熱されて上記吸着面（65）も加熱され、吸着剤に含まれている水分が、周囲を流れる空気に放出されて空気が加湿される。また、吸着面（65）の周囲を空気が流れる状態で可撓性電熱板（61）への電界の印加を解除すると、調湿モジュール（20）の全体が冷却されて上記吸着面（65）も冷却され、周囲を流れる空気中の水分が吸着剤に吸着されて空気が減湿される。
【０２１４】
この実施形態５の変形例２に係る調湿モジュール（20）は、図２１〜図２３のものと同様に構成が簡単であるとともにモジュール自体を小型化できるので、例えば図１に示した実施形態１の調湿装置（1）に適用することにより、調湿装置（1）の構成を簡単にするとともに小型化することができる。
【０２１５】
なお、図２４の構成においては、可撓性電極板（62，63）同士の間に電気絶縁材（66）を充填せずに、その部分に空間を形成するようにしてもよい。この場合、その空間に電気絶縁機能を持たせるため、可撓性電極板（62，63）同士の間に空間を保持する部材を所定ピッチで設けておくとよい。また、このように構成する場合、両電極板（62，63）の表面の全体に吸着剤を塗布して吸着面（65）を形成するとよい。このように構成すると、吸着面（65）の面積を大きくすることができるから、調湿性能をいっそう高めることが可能になる。
【０２１６】
（変形例３）
図２５に示す実施形態５の変形例３に係る調湿モジュール（20）は、図２１〜図２４のものとは形状が異なるようにした例である。
【０２１７】
この調湿モジュール（20）は、複数の電熱板（71）と、各電熱板（71）の一方の面に接する状態で設けられた第１の電極板（72）と、電熱板（71）の他方の面に接する状態で設けられた第２の電極板（73）とを備えている。上記電熱板（71）と両電極板（72，73）とによりベースモジュール（74）が構成されている。
【０２１８】
このベースモジュール（74）は、複数の電熱板（71）が互いに平行に配列され、その両端面に吸着プレート（75）が固定されている。吸着プレート（75）の表面には、吸着剤を塗布することにより吸着面（76）が形成されている。
【０２１９】
この実施形態５の変形例３においては、吸着面（76）の周囲を空気が流れる状態で電熱板（71）に電荷を印加すると、調湿モジュール（20）の全体が加熱されて上記吸着面（76）も加熱され、吸着剤に含まれている水分が、周囲を流れる空気に放出されて空気が加湿される。又、吸着面（76）の周囲を流れる状態で電熱板（71）への電界の印加を解除すると、調湿モジュール（20）の全体が冷却されて上記吸着面（76）も冷却され、周囲を流れる空気中の水分が吸着剤に吸着されて空気が減湿される。
【０２２０】
この実施形態５の変形例３に係る調湿モジュール（20）は、図２１〜図２４のものと同様に構成が簡単であるとともにモジュール自体を小型化できるので、例えば図１に示した実施形態の調湿装置（1）に適用することにより、調湿装置（1）の構成を簡単にするとともに小型化することができる。
【０２２１】
《発明の実施形態６》
本発明の実施形態６は、冷却加熱モジュール（24）に関するものである。
【０２２２】
この冷却加熱モジュール（24）は、図２６に示すように、筒状に形成された上記エレクトロカロリック冷却材料（21）（81）の内周面及び外周面に電極（22）（82，83）が設けられたベースモジュール（85）を備えている。
【０２２３】
具体的には、冷却加熱モジュール（24）は、伝熱管（81）と外周側電極（82）と内周側電極（83）とを備えている。外周側電極（82）は、筒状の外周側本体部（82a）と、外周側本体部（82a）の内周面に形成された環板状の外周側伝熱部（82b）と、外周側本体部（82a）の外周面に形成された環状の外周側フィン（82c）とが一体に形成されたものである。内周側電極（83）は、筒状の内周側本体部（83a）と、内周側本体部（83a）の外周面に形成された環板状の内周側伝熱部（83b）と、内周側本体部（83a）の内周面に形成された内周側フィン（83c）とが一体に形成されたものである。
【０２２４】
上記外周側伝熱部（82b）と内周側伝熱部（83b）は、冷却加熱モジュール（24）の軸方向に交互に位置している。また、外周側伝熱部（82b）の内周側端部は内周側本体部（83a）の外周面との間にわずかな隙間が形成されるように構成されている。内周側伝熱部（83b）の外周側端部は外周側本体部（82a）の内周面との間にわずかな隙間が形成されるように構成されている。以上の構成により、外周側電極（82）と内周側電極（83）の間にはラビリンス状の空間が形成されている。
【０２２５】
そして、上記伝熱管（81）は、エレクトロカロリック冷却材料（21）により上記ラビリンス状の空間に一致する形状に形成され、該伝熱管（81）の外周側に上記外周側電極（82）が装着され、内周側に上記内周側電極（83）が装着されている。上記伝熱管（81）、外周側電極（82）及び内周側電極（83）は、例えば周方向に２分割した形状にして、各分割部分を組み合わせることにより円筒状になるように構成することができる。
【０２２６】
この実施形態の冷却加熱モジュール（24）は、例えば図１７に示すように調湿装置（1）に２つ設け、一方で冷却動作を行いながら他方で加熱動作を行うように構成することができる。具体的には、一方の冷却加熱モジュール（24）に電界を印加すると、冷却加熱モジュール（24）の全体が発熱し、そのときに排出空気（EA）を冷却加熱モジュール（24）の外周面に流すことにより、熱を室外に放出することができる。このとき供給空気（SA）は室内へは供給しない。
【０２２７】
他方の冷却加熱モジュール（24）への電界の印加を解除すると、冷却加熱モジュール（24）の全体が吸熱し、そのときに供給空気（SA）を実線の矢印の方向へ流すことにより、冷却した空気を室内に供給することができる。このとき、排出空気（EA）の流れは停止している。
【０２２８】
以上の冷却動作と加熱動作を、２つの冷却加熱モジュール（24）の一方で冷却動作を行っているときに他方で加熱動作を行い、２つの吸着モジュールの一方で加熱動作を行っているときに他方で冷却動作を行うように交互に切り換えると、室内を連続的に冷却できる。
【０２２９】
また、冷却加熱モジュール（24）に電界を印加するときに供給空気（SA）を室内へ供給し、冷却加熱モジュール（24）への電界の印加を解除するときに排出空気（EA）を冷却加熱モジュール（24）の周囲に流すようにして、２つの冷却加熱モジュール（24）で加熱運転と冷却運転を交互に繰り返すと、室内を連続的に加熱できる。
【０２３０】
このように、本実施形態の冷却加熱モジュール（24）を用いると、調湿装置（1）において冷房や暖房も行う構成を容易に実現できる。
【０２３１】
また、この冷却加熱モジュール（24）は、供給空気（SA）の通路となる内周側フィン（83c）の表面に吸着層（84）を形成すれば、空気の減湿や加湿を行う調湿モジュール（20）として用いることも可能である。
【０２３２】
《発明の実施形態７》
本発明の実施形態７は、冷却加熱モジュール（24）に関するものである。
【０２３３】
この冷却加熱モジュール（24）は、図２７に示すように、ブロック状に形成されたエレクトロカロリック冷却材料（21）からなる伝熱体（91）を挟んで両側に電極（92，93）が設けられたベースモジュール（95）を備えている。この冷却加熱モジュール（24）は、建物の壁（2a）や窓などに取り付けられたケーシング（15）内に設置されている。ケーシング（15）内には、室内側に給気ファン（30a）が設けられ、室外側に排気ファン（30b）が設けられている。なお、ケーシング（15）内には、図示していないが調湿モジュール（20）も設けられている。
【０２３４】
冷却加熱モジュール（24）は、伝熱体（91）と第１電極（92）と第２電極（93）とを備えている。第１電極（92）は、室内側本体部（92a）と、室内側本体部（92a）の外側端面の室内側伝熱部（92b）と、室内側本体部（92a）の内側端面の室内側フィン（92c）とが一体に形成されたものである。第２電極（93）は、室外側本体部（93a）と、室外側本体部（93a）の内側端面の室外側伝熱部（93b）と、室外側本体部（93a）の外側端面の室外側フィン（93c）とが一体に形成されたものである。
【０２３５】
上記室内側伝熱部（92b）と室外側伝熱部（93b）は、図における冷却加熱モジュール（24）の上下方向に交互に位置している。室内側伝熱部（92b）と室外側伝熱部（93b）は、互いに噛み合うように配置される一方、第１電極（92）と第２電極（93）が互いに接触しないように形成されている。また、室内側伝熱部（92b）と室外側伝熱部（93b）が互いに噛み合っている部分には空間が形成されている。
【０２３６】
そして、上記伝熱体（91）は、エレクトロカロリック冷却材料（21）により室内側伝熱部（92b）と室外側伝熱部（93b）の間の空間形状に一致する形状に形成され、該伝熱体（91）の室内側に上記第１電極（92）が装着され、室外側に上記第２電極（92）が装着されている。
【０２３７】
この実施形態の冷却加熱モジュール（24）は、例えば図１７に示すように調湿装置（1）に２つ設け、一方で冷却動作を行いながら他方で加熱動作を行うように構成することができる。具体的には、一方の冷却加熱モジュール（24）に電界を印加すると、冷却加熱モジュール（24）の全体が発熱し、そのときに排出空気（EA）を冷却加熱モジュール（24）の室外側に流すことにより、熱を室外に放出することができる。このとき供給空気（SA）は室内へは供給しない。
【０２３８】
他方の冷却加熱モジュール（24）への電界の印加を解除すると、冷却加熱モジュール（24）の全体が吸熱し、そのときに供給空気（SA）を矢印の方向へ流すことにより、冷却した空気を室内に供給することができる。このとき、排出空気（EA）の流れは停止している。
【０２３９】
以上の冷却動作と加熱動作を２つの冷却加熱モジュール（24）で交互に行うことにより、室内を連続的に冷却できる。
【０２４０】
また、冷却加熱モジュール（24）に電界を印加するときに供給空気（SA）を室内へ供給し、冷却加熱モジュール（24）への電界の印加を解除するときに排出空気（EA）を冷却加熱モジュール（24）の周囲に流すようにして、２つの冷却加熱モジュール（24）で加熱運転と冷却運転を交互に繰り返すと、室内を連続的に加熱できる。
【０２４１】
このように、本実施形態の冷却加熱モジュール（24）を用いると、調湿装置（1）において冷房や暖房も行う構成を容易に実現できる。
【０２４２】
また、この冷却加熱モジュール（24）は、例えば、室内側フィン（92c）と室外側フィン（93c）の両方に吸着層（94）を形成し、第１電極（92）が室内側に位置して第２電極（93）が室外側に位置する第１の状態（図２７の状態）と、第２電極（93）が室内側に位置して第１電極（92）が室外側に位置する第２の状態（図示せず）とに状態変化させることが可能に構成すると、室内側で吸着した水分を室外側で放出したり、室外側で吸湿した水分を室内側に供給したりすることができるので、空気の減湿や加湿を行う調湿モジュール（20）として用いることも可能である。
【０２４３】
《発明の実施形態８》
図２８〜図３１に示す本発明の実施形態８は、調湿モジュール（20）に関するものである。
【０２４４】
この調湿モジュール（20）は、エレクトロカロリック冷却材料（21）で形成された複数のフィン（102）と、該フィン（102）を搬送する駆動部材（101）を備え、空気通路内で上記エレクトロカロリック冷却材料（21）への電界の印加と解除を切り換えるように構成した例である。図２８は調湿モジュール（20）の横断面構造図、図２９は縦断面構造図、図３０は平面構造図である。また、図３１はフィン（102）の構造図である。
【０２４５】
図において、調湿モジュール（20）は建物の壁（2a）に形成されている孔（2b）を貫通し、一端が室内側に位置し、他端が室外側に位置している。室内側の端部には給気ファン（30a）が配置され、室外側の端部には排気ファン（30b）が配置されている。
【０２４６】
この調湿モジュール（20）は、室内側と室外側に設けられたプーリ（図示せず）にかけられた駆動部材としてのベルト（101）と、このベルト（101）の表面に連続して配置された多数のフィン（102）とを有している。このフィン（102）は、自己発熱体（エレクトロカロリック冷却材料（21））によりプレート状に形成されている。具体的には、フィン（102）は、図３１に示すように、正面から視たときに先端部が湾曲した形状で、基端部（102a）が屈曲している。また、フィン（102）の表面には吸着層が形成されている。
【０２４７】
上記フィン（102）は、支持部になる基端部（102a）側でベルト（101）に連結されている。そして、図２８に示すように、ベルト（101）の直線部では複数のフィン（102）が互いに重なる一方、ベルト（101）の両端の曲線部では展開されるようになっている。また、直線部でフィン（102）が重なった状態では、図２９に示すように、外縁が孔（2b）に沿った円弧形状となる。
【０２４８】
上記ベルト（101）に沿って冷却用電極（103）と加熱用電極（104）とが設けられている。冷却用電極（103）と加熱用電極（104）は、図２８における室外側の右下部分と、室内側の左上部分とで互いに切り離されている。また、フィン（102）は、図３１（Ａ）における基端部の左右の一端側の表面と、左右の他端側の表面で冷却用電極（103）または加熱用電極（104）と電気的に接触するように構成されている。このことにより、フィン（102）に上記加熱用電極（104）及び冷却用電極（103）から電界が印加されるとフィン（102）が発熱し、吸着層も発熱する。
【０２４９】
除湿運転時には冷却用電極（103）からフィン（102）に電界が印加されて加熱用電極（104）からの電界の印加は解除される。ベルト（101）は図２８の矢印の方向に回転しているので、図の左側でフィン（102）が展開した部分においてフィン（102）は冷却されており、該フィン（102）に室内空気の水分が吸着層に吸着され、図の右側でフィン（102）が展開した部分においてフィン（102）は加熱されており、該フィン（102）の水分が室外空
気に放出される。この状態でベルト（101）を連続回転させることにより、除湿運転を連続して行うことができる。
【０２５０】
また、加湿運転時には加熱用電極（104）からフィン（102）に電荷が印加されて冷却用電極（103）からの電界の印加は解除される。このとき、図の右側の冷却されているフィン（102）が展開した部分において室外空気の水分が吸着層に吸着され、図の左側の加熱されているフィン（102）が展開した部分においてフィン（102）の水分が室内空気に供給される。この状態でベルト（101）を連続回転させることにより、加湿運転を連続して行うことができる。
【０２５１】
なお、フィン（102）の表面に吸着層を設けず、空気の冷却と加熱のみを行う構成にすることにより、この調湿モジュール（20）を冷却加熱モジュール（24）にすることも容易である。こうすると、このベルト（101）方式の調湿モジュール（20）と冷却加熱モジュール（24）を併用することにより、室内の除湿冷房と加湿暖房を切り換えて行う装置（1）を容易に構成することが可能になる。
【０２５２】
《その他の実施形態》
上記実施形態については、以下のような構成としてもよい。
【０２５３】
例えば、上記各実施形態においては、室外空気を除加湿処理して室内に供給し、室内空気を調湿モジュール（20）の吸着再生処理に使って室外に排出する換気方式を採用しているが、室内空気を循環させる構成において調湿モジュール（20）で水分の吸着や脱離を行うように構成してもよい。
【０２５４】
また、上記各実施形態において説明している調湿モジュール（20）や冷却加熱モジュール（24）の具体的な構成は、調湿装置（1）の装置構成に応じて適宜変更してもよい。
【０２５５】
さらには、調湿装置（1）の構成も、除湿運転や加湿運転、あるいは除湿冷房運転や加湿暖房運転を行える限りは適宜変更してもよい。
【０２５６】
なお、以上の実施形態は、本質的に好ましい例示であって、本発明、その適用物、あるいはその用途の範囲を制限することを意図するものではない。
【産業上の利用可能性】
【０２５７】
以上説明したように、本発明は、水分の吸着と脱離を行う調湿モジュールと、この調湿モジュールを用いて室内の湿度を調節するための調湿装置について有用である。
【符号の説明】
【０２５８】
1   調湿装置
5   調湿ユニット
20  調湿モジュール
21  エレクトロカロリック冷却材料
22  電極
23  吸着層
24  冷却加熱モジュール
25  電源
35  電圧制御器
47  ベースモジュール
54  ベースモジュール
64  ベースモジュール
74  ベースモジュール
85  ベースモジュール
95  ベースモジュール
101 駆動部材
102 フィン
P   空気通路
【図１】
2013160459.tif 000003
【図２】
2013160459.tif 000004
【図３】
2013160459.tif 000005
【図４】
2013160459.tif 000006
【図５】
2013160459.tif 000007
【図６】
2013160459.tif 000008
【図７】
2013160459.tif 000009
【図８】
2013160459.tif 000010
【図９】
2013160459.tif 000011
【図１０】
2013160459.tif 000012
【図１１】
2013160459.tif 000013
【図１２】
2013160459.tif 000014
【図１３】
2013160459.tif 000015
【図１４】
2013160459.tif 000016
【図１５】
2013160459.tif 000017
【図１６】
2013160459.tif 000018
【図１７】
2013160459.tif 000019
【図１８】
2013160459.tif 000020
【図１９】
2013160459.tif 000021
【図２０】
2013160459.tif 000022
【図２１】
2013160459.tif 000023
【図２２】
2013160459.tif 000024
【図２３】
2013160459.tif 000025
【図２４】
2013160459.tif 000026
【図２５】
2013160459.tif 000027
【図２６】
2013160459.tif 000028
【図２７】
2013160459.tif 000029
【図２８】
2013160459.tif 000030
【図２９】
2013160459.tif 000031
【図３０】
2013160459.tif 000032
【図３１】
2013160459.tif 000033